(57)【要約】【課題】  刻々と変化する照明環境に設置されても周囲の状況と調和し、調度類として違和感のない画像表示を可能とする画像表示装置及びその制御方法を提供すること。【解決手段】  画像データ入力手段と、画像表示手段とを有し、入力画像データに基づいて画像を表示する画像表示装置において、検知された照明条件に基づいて算出された色の見え指標に基づいて画像表示装置を制御する。【選択図】        図３
2005300639.tif 000002
【特許請求の範囲】
【請求項１】
画像データ入力手段と、画像表示手段とを有し、入力画像データに基づいて画像を表示する画像表示装置において、
画像表示装置を鑑賞するときの照明条件を検知する照明条件検知手段と、
前記画像データ入力手段から入力された入力画像データと前記照明条件検知手段で検知された照明条件とに基づき、色の見え指標を算出する色の見え指標算出手段と、
前記色の見え指標算出手段で算出された色の見え指標に基づき、前記画像表示手段を制御する表示制御手段とを有することを特徴とする画像表示装置。
【請求項２】
前記表示制御手段は、前記色の見え指標算出手段で算出された色の見え指標に基づき、表示用画像データを生成することを特徴とする請求項１に記載の画像表示装置。
【請求項３】
前記照明条件検知手段で検知された照明条件の変化を検出する照明条件変化検出手段と、
前記表示制御手段で生成された表示用画像データを記憶する記憶手段とを有し、
前記表示制御手段は、前記記憶手段に記憶された表示用画像データを前記画像表示手段に対して出力することで前記画像表示手段を制御し、前記照明条件変化検出手段が照明条件の変化を検出したときに、当該変化した照明条件に基づいて表示用画像データを生成することを特徴とする請求項２に記載の画像表示装置。
【請求項４】
前記表示制御手段は、前記色の見え指標算出手段で算出された色の見え指標に基づき、表示用制御データを生成することを特徴とする請求項１に記載の画像表示装置。
【請求項５】
前記照明条件検知手段で検知された照明条件の変化を検出する照明条件変化検出手段と、
前記表示制御手段で生成された表示用制御データのうち少なくとも一方を記憶する記憶手段とを有し、
前記表示制御手段は、前記記憶手段に記憶された表示用制御データを前記画像表示手段に対して出力することで前記画像表示手段を制御し、
前記照明条件変化検出手段が照明条件の変化を検出したときに、当該変化した照明条件に基づいて表示用制御データを生成することを特徴とする請求項４に記載の画像表示装置。
【請求項６】
前記表示制御手段は、前記色の見え指標算出手段で算出された色の見え指標に基づき、表示用画像データ及び表示用制御データを生成することを特徴とする請求項１に記載の画像表示装置。
【請求項７】
前記照明条件検知手段で検知された照明条件の変化を検出する照明条件変化検出手段と、
前記表示制御手段で生成された表示用画像データ及び表示用制御データのうち少なくとも一方を記憶する記憶手段とを有し、
前記表示制御手段は、前記記憶手段に記憶された表示用画像データ及び表示用制御データのうち少なくとも一方を前記画像表示手段に対して出力することで前記画像表示手段を制御し、
前記照明条件変化検出手段が照明条件の変化を検出したときに、当該変化した照明条件に基づいて表示用画像データ及び表示用制御データのうち少なくとも一方を生成することを特徴とする請求項６に記載の画像表示装置。
【請求項８】
前記表示制御手段における色の見え指標の適用度合を入力する適用度合入力手段を有し、
前記表示制御手段は、前記適用度合入力手段で入力された適用度合に基づいて前記画像表示手段を制御することを特徴とする請求項１乃至７のいずれか１項に記載の画像表示装置。
【請求項９】
前記照明条件検知手段で検知された照明条件に基づいて観察条件パラメータを算出する観察条件パラメータ算出手段を有し、
前記色の見え指標算出手段は、前記観察条件パラメータ算出手段で算出した観察条件パラメータに基づいて色の見え指標を算出することを特徴とする請求項１乃至８のいずれか１項に記載の画像表示装置。
【請求項１０】
前記表示制御手段は、前記画像表示手段の発光輝度の最大値が、前記照明条件検知手段で検知した照度と比例するように制御することを特徴とする請求項１乃至９のいずれか１項に記載の画像表示装置。
【請求項１１】
前記入力画像データが、シーン参照画像データであり、
前記表示制御手段は、前記シーン参照画像データに基づいて前記画像表示手段を制御することを特徴とする請求項１乃至１０のいずれか１項に記載の画像表示装置。
【請求項１２】
前記シーン参照画像データは色空間を表すデータであり、該色空間は輝度拡張色空間であることを特徴とする請求項１１に記載の画像表示装置。
【請求項１３】
前記色の見え指標算出手段は、ＣＩＥＣＡＭ９７ｓ又はＣＩＥＣＡＭ０２に規定される色の見えモデルに基づいて色の見え指標を算出することを特徴とする請求項１乃至１２のいずれか１項に記載の画像表示装置。
【請求項１４】
画像データ入力手段と、画像表示手段とを有し、入力画像データに基づいて画像を表示する画像表示装置の制御方法において、
画像表示装置を鑑賞するときの照明条件を検知する照明条件検知工程と、
前記画像データ入力手段から入力された入力画像データと前記照明条件検知工程で検知された照明条件とに基づき、色の見え指標を算出する色の見え指標算出工程と、
前記色の見え指標算出工程で算出された色の見え指標に基づき、前記画像表示手段を制御する表示制御工程とを含むことを特徴とする画像表示装置の制御方法。
【請求項１５】
前記表示制御工程は、前記色の見え指標算出手段で算出された色の見え指標に基づき、表示用画像データを生成する表示用画像データ生成工程を含むことを特徴とする請求項１４に記載の画像表示装置の制御方法。
【請求項１６】
前記照明条件検知工程で検知された照明条件の変化を検出する照明条件変化検出工程と、
前記表示用画像データ生成工程で生成された表示用画像データを記憶する記憶工程とを有し、
前記表示制御工程は、前記記憶工程で記憶された表示用画像データを前記画像表示手段に対して出力する表示用データ出力工程と、
前記照明条件変化検出工程で照明条件の変化を検出したときに、当該変化した照明条件に基づいて表示用画像データを生成することを特徴とする請求項１５に記載の画像表示装置の制御方法。
【請求項１７】
前記表示制御手段は、前記色の見え指標算出手段で算出された色の見え指標に基づき、表示用制御データを生成する表示用制御データ生成工程を含むことを特徴とする請求項１４に記載の画像表示装置の制御方法。
【請求項１８】
前記照明条件検知工程で検知された照明条件の変化を検出する照明条件変化検出工程と、
前記表示用制御データ生成工程で生成された表示用制御データを記憶する記憶工程とを有し、
前記表示制御工程は、前記記憶工程で記憶された表示用制御データを前記画像表示手段に対して出力する表示用データ出力工程を有し、
前記照明条件変化検出工程で照明条件の変化を検出したときに、当該変化した照明条件に基づいて表示用制御データを生成することを特徴とする請求項１７に記載の画像表示装置の制御方法。
【請求項１９】
前記表示制御工程は、前記色の見え指標算出工程で算出された色の見え指標に基づき、表示用画像データを生成する表示用画像データ生成工程と、
前記色の見え指標算出工程で算出された色の見え指標に基づき、表示用制御データを生成する表示用制御データ生成工程とを含むことを特徴とする請求項１４に記載の画像表示装置の制御方法。
【請求項２０】
前記照明条件検知工程で検知された照明条件の変化を検出する照明条件変化検出工程と、
前記表示用画像データ生成工程で生成された表示用画像データ及び前記表示用制御データ生成工程で生成された表示用制御データのうち少なくとも一方を記憶する記憶工程とを有し、
前記表示制御工程は、前記記憶工程で記憶された表示用画像データ及び表示用制御データのうち少なくとも一方を前記画像表示手段に対して出力する出力する表示用データ出力工程を有し、
前記照明条件変化検出工程で照明条件の変化を検出したときに、当該変化した照明条件に基づいて表示用画像データ及び表示用制御データのうち少なくとも一方を算出することを特徴とする請求項１９に記載の画像表示装置の制御方法。
【請求項２１】
前記表示制御工程における色の見え指標の適用度合を入力する適用度合入力工程を有し、
前記表示制御工程は、前記適用度合入力工程で入力された適用度合に基づいて前記画像表示手段を制御することを特徴とする請求項１４乃至２０のいずれか１項に記載の画像表示装置の制御方法。
【請求項２２】
前記照明条件検知工程で検知された照明条件に基づいて観察条件パラメータを算出する観察条件パラメータ算出工程を有し、
前記色の見え指標算出工程は、前記観察条件パラメータ算出工程で算出した観察条件パラメータに基づいて色の見え指標を算出することを特徴とする請求項１４乃至２１のいずれか１項に記載の画像表示装置の制御方法。
【請求項２３】
前記表示制御工程は、前記画像表示手段の発光輝度の最大値が、前記照明条件検知工程で検知した照度と比例するように制御することを特徴とする請求項１４乃至２２のいずれか１項に記載の画像表示装置の制御方法。
【請求項２４】
前記入力画像データが、シーン参照画像データであり、
前記表示制御工程は、前記シーン参照画像データに基づいて前記画像表示手段を制御することを特徴とする請求項１４乃至２３のいずれか１項に記載の画像表示装置の制御方法。
【請求項２５】
前記シーン参照画像データは色空間を表すデータであり、該色空間は輝度拡張色空間であることを特徴とする請求項２４に記載の画像表示装置の制御方法。
【請求項２６】
前記色の見え指標算出工程は、ＣＩＥＣＡＭ９７ｓ又はＣＩＥＣＡＭ０２に規定される色の見えモデルに基づいて色の見え指標を算出することを特徴とする請求項１４乃至２５のいずれか１項に記載の画像表示装置の制御方法。
【発明の詳細な説明】
【技術分野】
【０００１】
本発明は、画像表示装置及び画像表示装置の制御方法に関する。
【背景技術】
【０００２】
ディスプレイ上に表示される画像を観察しながらデジタル画像データの編集加工や出力操作などを行う作業工程において、長時間の作業による目の疲労、消費電力などの課題も少なくない。このような課題に対する解決方法として、ディスプレイ周辺の明るさや色温度を検知して、ディスプレイの表示条件を制御する、或いは人物の入室を検知して、電源のＯＮ／ＯＦＦを切り替える等の方法が知られている（例えば、特許文献１及び特許文献２）。
【０００３】
特許文献１には、画像表示装置の表示状態、及び／又は周囲の生活照明環境を積極的に制御することによって最適な視聴環境の実現を図り、より高画質な画像表示や、目にやさしく疲労感の少ない画像表示が可能な画像表示システムを提供するために、外部からの入力テレビ信号や画像表示特性検知器からの信号に応じて、画像表示装置の画面輝度、及び／又は外部の照明装置の明るさを調整して視聴環境条件を制御する画面輝度・照明制御回路とを設け、上記各入力信号に応じて画像表示装置の画面輝度及び／又は照明装置の明るさを積極的に調整し、より最適な視聴環境を供する方法が記載されている。
【０００４】
特許文献２には、様々な照明条件に対応したコントラスト、又は色バランスの調整を行うことができる反射型表示装置を提供するために、画像情報を表示する反射型表示手段と、反射型表示手段の一部又はその周辺部にあり照射光の状態を検知する検知手段と、検知手段で検知された照射光の状態を基に反射型表示手段の駆動方法を制御する制御手段とからなることを特徴とする反射型表示装置について記載されている。
【０００５】
一方、ディスプレイ上に表示される画像を観察しながらデジタル画像データの編集加工や出力操作などを行う作業工程において、高品位画像を安定に生成するべく各種技術が提案されている。（例えば、特許文献３）
特許文献３においては、プリント画像では、視覚の視環境に対する順応作用によって、視環境の影響は低減されるのに対し、ＣＲＴなどの自己発光型デバイスの場合、それ自体が視環境と異なる色度を与えるため、プリント画像とＣＲＴ表示画像との間で、「色の見え」が一致しないという課題を解決するために、視環境の差異を補正した中間の色空間（「機器独立色空間」、又は「Ｄｅｖｉｃｅ  Ｉｎｄｅｐｅｎｄｅｎｔ  Ｃｏｌｏｒ」と称される）として、ＣＩＥ（国際照明委員会）で定められている色空間であるＸＹＺ（ＣＩＥ／ＸＹＺ）やＬ＊ａ＊ｂ＊（ＣＩＥ／Ｌ＊ａ＊ｂ＊）に代えて、「色の見え予測モデル」を用いた色空間が提案されている。
【０００６】
また、このような色空間への変換に、「視覚的な見えを予測可能なモデル」として、非特許文献１にあるような「ＣＩＥＣＡＭ９７ｓ」、「ＣＩＥＣＡＭ０２」を用いることが知られている。
【特許文献１】特開２００３−３２３１６９号公報
【特許文献２】特開２０００−２３１０９２号公報
【特許文献３】特開平７−２２２１９６号公報
【非特許文献１】矢口博久、「色の見えモデル−ＣＩＥＣＡＭ０２の概要と課題−」、カラーフォーラムＪＡＰＡＮ２００３論文集、画像電子学会、平成１５年１１月、ｐ．５７−６２
【発明の開示】
【発明が解決しようとする課題】
【０００７】
ところで、近年では液晶ディスプレイやプラズマディスプレイ等の薄型ディスプレイの大画面化や低価格化の進行、並びに前記デジタル画像データの汎用性や画質向上技術の向上に伴い、液晶ディスプレイに静止画を表示して情報を伝達する掲示板、或いはイラストや絵画を表示して調度類として楽しむといった機会、要求が急速に高まってきている。
【０００８】
しかしながら、ディスプレイ周辺の明るさや色温度を検知して、表示、或いは観察条件を自動制御するだけでは、蛍光灯や白熱電球等の白色人工光の下で違和感を覚えることなく鑑賞する効果は期待されるものの、電球や蝋燭などの着色光、直射日光の下では、室内の壁や床、家具などの調度類とは異なった見え方となり、観察者は違和感を覚えるものとなってしまっていた。
【０００９】
特に、部屋の調度類として、写真や絵画に代えて静止画を表示する場合には、あたかも額縁に入れられた写真や絵画であるかのように、壁などの周囲と調和した状態で鑑賞できることが求められている。
【００１０】
特許文献１や特許文献２に記載の制御方法は、あくまでも表示を見えやすくすることを目的として表示、或いは観察条件を自動制御するものでしかなかった。このため、雰囲気を重視して低輝度の着色光で照明された食堂・応接室・寝室等に設置された場合には、ディスプレイの表示画面のみが過度に目立つことになり、調度類としての静止画を表示する場合には極めて不適切であった。
【００１１】
また、特許文献３や非特許文献１は、プリンタにより紙等の反射型記録媒体上に出力されることを想定して、ディスプレイ上に表示される画像を観察しながら、デジタル画像データの編集加工や出力操作などを行うことを前提としたものであり、当該ディスプレイを鑑賞する照明環境には無関係であった。したがって、ディスプレイを鑑賞する照明条件が高照度から低照度に変化しても、ディスプレイは高照度照明下のものと何ら変わるものではなく、昼夜で照明条件が刻々と変化する室内に設置される調度類として静止画を表示する場合には、その見え方は違和感を覚えるものであった。
【００１２】
上記事象に鑑み、本発明の目的は、低照度照明下でも、表示画面のみが過度に目立つことを改善し、周囲の状況と調和させることによって、調度類としての違和感のない画像表示並びに刻々と変化する照明環境に設置されても周囲の状況と調和し、調度類として違和感のない画像表示を可能とする画像表示装置及びその制御方法を提供することである。
【課題を解決するための手段】
【００１３】
本発明の目的は、下記構成により達成することができる。
【００１４】
請求項１に係る発明は、画像データ入力手段と、画像表示手段とを有し、入力画像データに基づいて画像を表示する画像表示装置において、
画像表示装置を鑑賞するときの照明条件を検知する照明条件検知手段と、
前記画像データ入力手段から入力された入力画像データと前記照明条件検知手段で検知された照明条件とに基づき、色の見え指標を算出する色の見え指標算出手段と、
前記色の見え指標算出手段で算出された色の見え指標に基づき、前記画像表示手段を制御する表示制御手段とを有することを特徴とする画像表示装置である。
【００１５】
請求項２に係る発明は、前記表示制御手段は、前記色の見え指標算出手段で算出された色の見え指標に基づき、表示用画像データを生成することを特徴とする請求項１に記載の画像表示装置である。
【００１６】
請求項３に係る発明は、前記照明条件検知手段で検知された照明条件の変化を検出する照明条件変化検出手段と、
前記表示制御手段で生成された表示用画像データを記憶する記憶手段とを有し、
前記表示制御手段は、前記記憶手段に記憶された表示用画像データを前記画像表示手段に対して出力することで前記画像表示手段を制御し、前記照明条件変化検出手段が照明条件の変化を検出したときに、当該変化した照明条件に基づいて表示用画像データを生成することを特徴とする請求項２に記載の画像表示装置である。
【００１７】
請求項４に係る発明は、前記表示制御手段は、前記色の見え指標算出手段で算出された色の見え指標に基づき、表示用制御データを生成することを特徴とする請求項１に記載の画像表示装置である。
【００１８】
請求項５に係る発明は、前記照明条件検知手段で検知された照明条件の変化を検出する照明条件変化検出手段と、
前記表示制御手段で生成された表示用制御データのうち少なくとも一方を記憶する記憶手段とを有し、
前記表示制御手段は、前記記憶手段に記憶された表示用制御データを前記画像表示手段に対して出力することで前記画像表示手段を制御し、
前記照明条件変化検出手段が照明条件の変化を検出したときに、当該変化した照明条件に基づいて表示用制御データを生成することを特徴とする請求項４に記載の画像表示装置である。
【００１９】
請求項６に係る発明は、前記表示制御手段は、前記色の見え指標算出手段で算出された色の見え指標に基づき、表示用画像データ及び表示用制御データを生成することを特徴とする請求項１に記載の画像表示装置である。
【００２０】
請求項７に係る発明は、前記照明条件検知手段で検知された照明条件の変化を検出する照明条件変化検出手段と、
前記表示制御手段で生成された表示用画像データ及び表示用制御データのうち少なくとも一方を記憶する記憶手段とを有し、
前記表示制御手段は、前記記憶手段に記憶された表示用画像データ及び表示用制御データのうち少なくとも一方を前記画像表示手段に対して出力することで前記画像表示手段を制御し、
前記照明条件変化検出手段が照明条件の変化を検出したときに、当該変化した照明条件に基づいて表示用画像データ及び表示用制御データのうち少なくとも一方を生成することを特徴とする請求項６に記載の画像表示装置である。
【００２１】
請求項８に係る発明は、前記表示制御手段における色の見え指標の適用度合を入力する適用度合入力手段を有し、
前記表示制御手段は、前記適用度合入力手段で入力された適用度合に基づいて前記画像表示手段を制御することを特徴とする請求項１乃至７のいずれか１項に記載の画像表示装置である。
【００２２】
請求項９に係る発明は、前記照明条件検知手段で検知された照明条件に基づいて観察条件パラメータを算出する観察条件パラメータ算出手段を有し、
前記色の見え指標算出手段は、前記観察条件パラメータ算出手段で算出した観察条件パラメータに基づいて色の見え指標を算出することを特徴とする請求項１乃至８のいずれか１項に記載の画像表示装置である。
【００２３】
請求項１０に係る発明は、前記表示制御手段は、前記画像表示手段の発光輝度の最大値が、前記照明条件検知手段で検知した照度と比例するように制御することを特徴とする請求項１乃至９のいずれか１項に記載の画像表示装置である。
【００２４】
請求項１１に係る発明は、前記入力画像データが、シーン参照画像データであり、
前記表示制御手段は、前記シーン参照画像データに基づいて前記画像表示手段を制御することを特徴とする請求項１乃至１０のいずれか１項に記載の画像表示装置である。
【００２５】
請求項１２に係る発明は、前記シーン参照画像データは色空間を表すデータであり、該色空間は輝度拡張色空間であることを特徴とする請求項１１に記載の画像表示装置である。
【００２６】
請求項１３に係る発明は、前記色の見え指標算出手段は、ＣＩＥＣＡＭ９７ｓ又はＣＩＥＣＡＭ０２に規定される色の見えモデルに基づいて色の見え指標を算出することを特徴とする請求項１乃至１２のいずれか１項に記載の画像表示装置である。
【００２７】
請求項１４に係る発明は、画像データ入力手段と、画像表示手段とを有し、入力画像データに基づいて画像を表示する画像表示装置の制御方法において、
画像表示装置を鑑賞するときの照明条件を検知する照明条件検知工程と、
前記画像データ入力手段から入力された入力画像データと前記照明条件検知工程で検知された照明条件とに基づき、色の見え指標を算出する色の見え指標算出工程と、
前記色の見え指標算出工程で算出された色の見え指標に基づき、前記画像表示手段を制御する表示制御工程とを含むことを特徴とする画像表示装置の制御方法である。
【００２８】
請求項１５に係る発明は、前記表示制御工程は、前記色の見え指標算出手段で算出された色の見え指標に基づき、表示用画像データを生成する表示用画像データ生成工程を含むことを特徴とする請求項１４に記載の画像表示装置の制御方法である。
【００２９】
請求項１６に係る発明は、前記照明条件検知工程で検知された照明条件の変化を検出する照明条件変化検出工程と、
前記表示用画像データ生成工程で生成された表示用画像データを記憶する記憶工程とを有し、
前記表示制御工程は、前記記憶工程で記憶された表示用画像データを前記画像表示手段に対して出力する表示用データ出力工程と、
前記照明条件変化検出工程で照明条件の変化を検出したときに、当該変化した照明条件に基づいて表示用画像データを生成することを特徴とする請求項１５に記載の画像表示装置の制御方法である。
【００３０】
請求項１７に係る発明は、前記表示制御手段は、前記色の見え指標算出手段で算出された色の見え指標に基づき、表示用制御データを生成する表示用制御データ生成工程を含むことを特徴とする請求項１４に記載の画像表示装置の制御方法である。
【００３１】
請求項１８に係る発明は、前記照明条件検知工程で検知された照明条件の変化を検出する照明条件変化検出工程と、
前記表示用制御データ生成工程で生成された表示用制御データを記憶する記憶工程とを有し、
前記表示制御工程は、前記記憶工程で記憶された表示用制御データを前記画像表示手段に対して出力する表示用データ出力工程を有し、
前記照明条件変化検出工程で照明条件の変化を検出したときに、当該変化した照明条件に基づいて表示用制御データを生成することを特徴とする請求項１７に記載の画像表示装置の制御方法である。
【００３２】
請求項１９に係る発明は、前記表示制御工程は、前記色の見え指標算出工程で算出された色の見え指標に基づき、表示用画像データを生成する表示用画像データ生成工程と、
前記色の見え指標算出工程で算出された色の見え指標に基づき、表示用制御データを生成する表示用制御データ生成工程とを含むことを特徴とする請求項１４に記載の画像表示装置の制御方法である。
【００３３】
請求項２０に係る発明は、前記照明条件検知工程で検知された照明条件の変化を検出する照明条件変化検出工程と、
前記表示用画像データ生成工程で生成された表示用画像データ及び前記表示用制御データ生成工程で生成された表示用制御データのうち少なくとも一方を記憶する記憶工程とを有し、
前記表示制御工程は、前記記憶工程で記憶された表示用画像データ及び表示用制御データのうち少なくとも一方を前記画像表示手段に対して出力する出力する表示用データ出力工程を有し、
前記照明条件変化検出工程で照明条件の変化を検出したときに、当該変化した照明条件に基づいて表示用画像データ及び表示用制御データのうち少なくとも一方を算出することを特徴とする請求項１９に記載の画像表示装置の制御方法である。
【００３４】
請求項２１に係る発明は、前記表示制御工程における色の見え指標の適用度合を入力する適用度合入力工程を有し、
前記表示制御工程は、前記適用度合入力工程で入力された適用度合に基づいて前記画像表示手段を制御することを特徴とする請求項１４乃至２０のいずれか１項に記載の画像表示装置の制御方法である。
【００３５】
請求項２２に係る発明は、前記照明条件検知工程で検知された照明条件に基づいて観察条件パラメータを算出する観察条件パラメータ算出工程を有し、
前記色の見え指標算出工程は、前記観察条件パラメータ算出工程で算出した観察条件パラメータに基づいて色の見え指標を算出することを特徴とする請求項１４乃至２１のいずれか１項に記載の画像表示装置の制御方法である。
【００３６】
請求項２３に係る発明は、前記表示制御工程は、前記画像表示手段の発光輝度の最大値が、前記照明条件検知工程で検知した照度と比例するように制御することを特徴とする請求項１４乃至２２のいずれか１項に記載の画像表示装置の制御方法である。
【００３７】
請求項２４に係る発明は、前記入力画像データが、シーン参照画像データであり、
前記表示制御工程は、前記シーン参照画像データに基づいて前記画像表示手段を制御することを特徴とする請求項１４乃至２３のいずれか１項に記載の画像表示装置の制御方法である。
【００３８】
請求項２５に係る発明は、前記シーン参照画像データは色空間を表すデータであり、該色空間は輝度拡張色空間であることを特徴とする請求項２４に記載の画像表示装置の制御方法である。
【００３９】
請求項２６に係る発明は、前記色の見え指標算出工程は、ＣＩＥＣＡＭ９７ｓ又はＣＩＥＣＡＭ０２に規定される色の見えモデルに基づいて色の見え指標を算出することを特徴とする請求項１４乃至２５のいずれか１項に記載の画像表示装置の制御方法である。
【発明の効果】
【００４０】
請求項１又は請求項１４に記載の発明によれば、検知された照明条件に基づいて算出された色の見え指標に基づいて画像表示装置を制御するので、画像表示装置は刻々と変化する照明条件下であっても、反射型記録媒体上に形成された画像と同じ色再現を行うことが可能となり、観察者は画像表示装置を調度類として、何ら違和感を覚えることなく鑑賞することが可能となる。
【００４１】
特に、低輝度照明下（低照度環境下）では、表示画像内容の判別不能レベルまで画像表示装置の輝度を低減させるようになるので、あたかも壁に掲示した写真や絵画のような画像の表示を行うことが可能になる。
【００４２】
請求項２又は請求項１５に記載の発明によれば、色の見え指標に基づき、表示用画像データを生成し、当該表示用画像データを画像表示手段に対して出力することで画像表示装置を制御するので、検知された照明条件における精度の高い色再現を行うことが可能となり、観察者は画像表示装置を調度類として、何ら違和感を覚えることなく鑑賞することが可能となる。
【００４３】
請求項３又は請求項１６に記載の発明によれば、照明条件の変化を検出したときに、当該変化した照明条件に基づいて表示用画像データを生成し、その他の場合は生成時に記憶された表示用画像データに基づいて、画像表示装置を制御するので、照明条件が変化したときのみ色の見え指標の算出及び表示用画像データの生成を行えばよく、演算処理に要する電力の消費を低減し、また演算処理の効率化が可能となる。
【００４４】
請求項４又は請求項１７に記載の発明によれば、色の見え指標に基づき、表示用制御データを生成し、当該表示用制御データを画像表示手段に対して出力することで画像表示装置を制御するので、画像表示手段の制御に係る演算処理を簡素化することが可能となり、比較的小規模な演算回路で、照明条件の変化に対して迅速に、観察者が調度類として何ら違和感を覚えることなく鑑賞できる画像を表示することが可能となる。
【００４５】
請求項５又は請求項１８に記載の発明によれば、照明条件の変化を検出したときに、当該変化した照明条件に基づいて表示用制御データを生成し、その他の場合は生成時に記憶された表示用制御データに基づいて、画像表示装置を制御するので、照明条件が変化したときのみ色の見え指標の算出及び表示用制御データの生成を行えばよく、演算処理に要する電力の消費を低減し、また演算処理の効率化が可能となる。
【００４６】
請求項６又は請求項１９に記載の発明によれば、色の見え指標に基づき、表示用画像データ及び表示用制御データを生成し、当該表示用画像データ及び表示用制御データを画像表示手段に対して出力することで画像表示装置を制御するので、画像表示制御に係る主要部の演算処理を表示用制御データの生成により簡素化するとともに、検知された照明条件における精度の高い色再現を表示用画像データの生成で行うことが可能となり、比較的小規模な演算回路で、照明条件の変化に対して迅速に、観察者が調度類として何ら違和感を覚えることなく鑑賞できる画像を表示することが可能となる。
【００４７】
請求項７又は請求項２０に記載の発明によれば、照明条件の変化を検出したときに、当該変化した照明条件に基づいて表示用画像データ及び／又は表示用制御データを生成し、その他の場合は生成時に記憶された表示用画像データ及び／又は表示用制御データに基づいて、画像表示装置を制御するので、照明条件が変化したときのみ色の見え指標の算出並びに表示用画像データ及び／又は表示用制御データの生成を行えばよく、演算処理に要する電力の消費を低減し、また演算処理の効率化が可能となる。
【００４８】
請求項８又は請求項２１に記載の発明によれば、色の見え指標の適用度合を入力し、入力された適用度合に基づいて画像表示装置を制御するので、動画や文字画像を鑑賞する場合の「見易さを優先させる表示」と、あたかも壁に貼った写真や絵画のような調度類として使用する場合の「周辺との調和を優先させる表示」との切り替えや、ユーザの嗜好に合わせた画像表示が可能となる。例えば、静止画を表示するときは、検知された照明条件に基づいて算出された色の見え指標に基づいて画像表示装置を制御し、ビデオやテレビ放送等の動画を鑑賞するときには、従来の画像表示装置と同じ色再現、輝度により表示することが可能となるので、観察者の要求に合った画像を表示することが可能となる。
【００４９】
請求項９又は請求項２２に記載の発明によれば、照明条件に基づいて観察条件パラメータを算出し、算出した観察条件パラメータに基づいて色の見え指標を算出するので、鑑賞時のユーザの嗜好に合わせた画像表示（例えば、「光沢仕上げされた写真風」、「絹目仕上げされた写真風」、「キャンバス地に描かれた絵画風」等）が可能となる。
【００５０】
請求項１０又は請求項２３に記載の発明によれば、画像表示装置の発光輝度の最大値が、検知した照度と比例するように画像表示装置を制御するので、低輝度照明下（低照度環境下）では、表示画像内容の判別不能レベルまで輝度を落とすことになり、あたかも壁に貼った写真や絵画のような画像の表示を行うことで、観察者は表示装置を調度類として、何ら違和感を覚えることなく鑑賞することが可能となる。
【００５１】
請求項１１又は請求項２４に記載の発明によれば、入力画像データがシーン参照画像データであるので、当該画像が表示された画像表示装置の鑑賞時に、例えば階調変換、鮮鋭性強調、彩度強調のような、ユーザの嗜好に合わせた意図的な効果を付加して画像を表示することが容易に可能となる。
【００５２】
請求項１２又は請求項２５に記載の発明によれば、シーン参照画像データは輝度拡張色空間を表すので、例えば階調変換、鮮鋭性強調、彩度強調のような、ユーザの嗜好に合わせた意図的な効果を付加して画像を表示しても、ノイズの極めて少ない画像を表示することが可能となる。
【００５３】
請求項１３又は請求項２６に記載の発明によれば、ＣＩＥＣＡＭ９７ｓ又はＣＩＥＣＡＭ０２で示される「色の見えモデル」に則って色の見え指標を算出するので、広範な刺激強度レベルに対応し、また、星明かりの暗所視レベルから非常に高い明所視レベルまでの広い順応レベルに対応し、種々の観察条件に対応した色再現を行うことが可能となり、観察者は画像表示装置を調度類として、何ら違和感を覚えることなく鑑賞することが可能となる。
【発明を実施するための最良の形態】
【００５４】
以下、図面に基づき本発明の実施の形態を説明する。
【００５５】
本発明に係る画像表示装置を図１を用いて説明する。図１は、本発明に係る画像表示装置１０の機能的構成を概念的に示すブロック図である。
【００５６】
画像表示装置１０は、制御部１１、画像表示部１２、記憶部１３、操作部１４、測光部１５、人体感知部１６、画像データ入力部１７等からなり、バス１８を介して接続されている。
【００５７】
本発明の表示制御手段に相当する制御部１１は、図示しないＣＰＵ（中央処理装置）及びワークメモリ等から構成され、記憶部１３に記憶されているプログラムをワークメモリに読み出し、当該プログラムに従って画像表示装置１０の各部を集中制御する。
【００５８】
また制御部１１は、画像データ入力部１７又は記憶部１３から入力された画像データに基づいて、表示用画像データ及び表示用制御データを出力する。制御部１１の詳細については後述する。
【００５９】
なお、本発明において「画像表示手段を制御する」とは、画像表示手段に対して、入力画像データを変換した表示用画像データ及び画像表示手段の制御信号である表示用制御データから選ばれる少なくとも１つを出力することである。
【００６０】
本発明の画像表示手段に相当する画像表示部１２は、表示用画像データ並びに表示用制御データの入力に基づいて画像を表示する。具体的には、ＣＲＴ（Ｃａｔｈｏｄｅ  Ｒａｙ  Ｔｕｂｅ）ディスプレイ、液晶ディスプレイ、プラズマディスプレイ、ＦＥＤ（Ｆｉｅｌｄ  Ｅｍｉｓｓｉｏｎ  Ｄｉｓｐｌａｙ）等の自己発光型の画像表示素子及びその周辺回路であり、表示方式は如何なるものであってもよい。ただし、絵画などの調度類として用いる場合には、薄型の液晶ディスプレイやプラズマディスプレイを用いることが望ましい。また、画像表示部１２が、広い色再現域を有していることが望まれることは言うまでもない。
【００６１】
画像表示部１２に表示用の信号が印加されていないときの輝度は、０．１ｃｄ／ｍ2以下が望ましく、０．０１ｃｄ／ｍ2以下がより望ましい。また、表示用データの入力に対して画像表示部１２が再現可能な照度のステップ値は、１．０ｌｘ以下が望ましく、０．１ｌｘ以下がより望ましい。画像表示部１２が再現可能な色温度は、少なくともＩＳＯ８９９５が規定する中間光色の３３００〜５３００Ｋの色温度であることが望ましい。
【００６２】
記憶部１３は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−ＯｎｌｙＭｅｍｏｒｙ）等の不揮発性の半導体メモリにより構成され、画像表示装置１０で実行可能な各種プログラムや機能に応じた設定内容、入力された画像データを表示用データに変換するためのルックアップテーブル（ＬＵＴ）などを記憶する。
【００６３】
操作部１４は、本発明の色の見え指標の適用度合を入力する適用度合入力手段に相当し、各種操作ボタンを備えている。操作部１４は、表示画像を調度類として使用する絵画モードと動画や文字を鑑賞するために表示する通常モードとの切り替えを含む画像表示装置１０の各種設定、画像データの再生及び消去等のボタン操作を検出して、操作信号として制御部１１に出力する。操作部１４は、画像表示装置１０とは別体のリモコンとなっていて、電波や赤外線等の無線方式によって操作信号を伝送するようにしてもよい。
【００６４】
測光部１５は、本発明の照明条件検知手段に相当し、少なくとも照度と色温度を定量化する機能を備える。具体的には、ＣＣＤ、Ｃ−ＭＯＳ等の公知の光学センサ及び演算処理装置からなり、撮影時の光源の輝度や照らされているものの表面照度、紫外線の強さ、色温度などを数値で表す計測機器である（色彩）照度計等が知られている。
【００６５】
人体感知部１６は、人体から発生される赤外線を検知して人間の存在の有無並びに画像表示装置１０から人間までの距離を検知するもので、画像表示装置１５の画像表示面前方の一定空間内に人間が存在するか否か及びその距離を検知する。具体的には、公知の赤外線センサ及び演算処理装置からなる。
【００６６】
画像データ入力部１７は、例えばＵＳＢ端子やＩＥＥＥ１３９４端子等で構成された外部入出力端子又はＵＷＢ（Ｕｌｔｒａ  Ｗｉｄｅ  Ｂａｎｄ）無線通信装置、メモリカードアダプタ等であり、他の機器すなわち図示しないデジタルカメラ、パーソナルコンピュータやＤＶＤ再生装置等から入力画像データを受信したり、メモリカードに書き込まれた入力画像データを読み出したりする。
【００６７】
ここで、画像表示部１２の明るさや色、照明センサ１４が検知するの照明条件を示す単位について詳述する。
【００６８】
照度（ｉｌｌｕｍｉｎａｎｃｅ）は、微小面に全ての方向から入射する光束の、単位面積当たりの割合である（単位：ルクス（ｌｘ）＝ｌｍ／ｍ2）。すなわち照度は単位面積当たりの入射光束を表す。
【００６９】
輝度（ｌｕｍｉｎａｎｃｅ）は、ある方向に向かう光度の、その方向に垂直な面の単位面積当たりの割合で、発光（反射、透過）面の明るさの程度を表す（単位：ｃｄ／ｍ2）。すなわち輝度は、単位面積当たりから出る光度であり、方向性をもっている。
【００７０】
色は、光源の三刺激値・色度・相関色温度で表される。三刺激値は、人間の目の分光感度分布を表す等色関数（例えば、ＣＩＥ２°視野標準観測者（ＣＩＥ１９３１等色関数）近似）を用いて算出されるＸＹＺ値である。色度は、ＸＹＺ値から、ｘｙ色度図上の座標として算出される。色温度（ｃｏｌｏｒ  ｔｅｍｐｅｒａｔｕｒｅ）は、与えられた放射の色度と等しい色度を持つ黒体の温度のことであり、相関色温度（ｃｏｒｒｅｌａｔｅｄ  ｃｏｌｏｒ  ｔｅｍｐｅｒａｔｕｒｅ）は与えられた放射の色度が黒体放射軌跡上にない場合、分布温度（ｄｉｓｔｒｉｂｕｔｉｏｎ  ｔｅｍｐｅｒａｔｕｒｅ）は相対分光分布が黒体放射に近似できる場合に用いる（単位：ケルビン（Ｋ））。
【００７１】
なお、本発明における照明条件の明るさを表す単位には照度を、画像表示手段の明るさを表す単位には輝度を、そして画像表示手段の色を表す単位には色温度を用いるものとする。
【００７２】
図２は、本発明に係る画像表示装置１０の外観を模式的に示す斜視図である。
【００７３】
画像表示装置１０は、画像表示素子１２ａ、操作パネル１４ａ、光学センサ１５ａ、人体感知センサ１６ａ、無線アンテナ１７ａ、メモリカードスロット１７ｂ、を備え、これらは筐体１９に保持されている。
【００７４】
図１の画像表示部１２の一部を構成する画像表示素子１２ａは、画像表示装置１０の前面に画像を表示するように設置されており、図１の操作部１４の一部を構成する操作パネル１４ａは、画像表示装置１０の前面であって、画像表示素子１４ａの下方にカバーに覆われた状態で設置されている。
【００７５】
測光部１５を構成する光学センサ１５ａは、画像表示素子１２ａの画像表示面近傍に設置されている。画像表示素子１２ａの上下、又は左右の２箇所に設置することが望ましく、上下、左右の４箇所に設置することがより望ましい。このようにすることで、画像表示素子１２ａの一部に対して特異的に照明条件が異なる場合であっても、当該特異的な照明条件のみで画像表示素子１２ａが制御されず、観察者にとって違和感を覚えることのない画像表示が可能となる。また、複数箇所に設置する場合の光学センサ１５ａの配置は、後述する色の見え指標算出手段が必要とする観察条件パラメータの算出に適合する配置であることが望まれることは言うまでもない。
【００７６】
図１の人体感知部１６の一部を構成する赤外線センサ１６ａは、光学センサ１５ａ同様、画像表示装置１０の前面に１個設置されている。
【００７７】
無線アンテナ１７ａは、図１の画像データ入力部１７の一部である無線通信装置の一部を構成するもので、筐体１９表面に設けられている。
【００７８】
図１の画像データ入力部１７の一部を構成するメモリカードスロット１７ｂは、マルチメディアカード（登録商標）、メモリースティック（登録商標）等の図示しないメモリカードが差し込み可能になっており、画像表示装置１０の前面に設けられている。メモリカードは、例えば、デジタルカメラで撮像された複数の駒画像データが記録されている。
【００７９】
図１の制御部１１の詳細について、図３を用いて説明する。図３は、図１の制御部１１の内部構成を示すブロック図である。
【００８０】
制御部１１は、観察条件パラメータ算出手段１１１、色の見え指標算出手段１１２、表示用データ生成手段１１３、照明条件変化検出手段１１５としての機能も有する。
【００８１】
観察条件パラメータ算出手段１１１は、図１の測光部１５から出力された照度や色温度並びに操作部１４で設定された画像表示設定等に基づき、順応視野（画像表示素子１２ａの周辺全体）における白色の３刺激値（Ｘｗ、Ｙｗ、Ｚｗ）、順応視野の平均輝度（ＬＡ）、背景（画像表示素子１２ａの周辺で、画像表示素子１２ａから１０度以内の視野範囲）の相対輝度（Ｙｂ）、周辺の条件により決定する定数：ｃ（周辺の影響計数）、Ｎｃ（色誘導係数）、ＦＬＬ（明度コントラスト計数）、Ｆ（順応度合計数）等の観察条件パラメータを算出する。
【００８２】
色の見え指標算出手段１１２は、観察条件パラメータ算出手段１１１で算出された観察条件パラメータ及び画像データ入力部１７や記憶部１３から入力された画像データ等に基づき、ある反射記憶媒体上に画像を形成し、測光部１５で検知された照明条件下に置かれた場合の、視覚的な見えを予測し、色相角（ｈ）、色相成分（Ｈ）、明るさ（Ｑ）、明度（Ｊ）、飽和度（ｓ）、クロマ（ｃ）、カラフルネス（Ｍ）等の色の見え指標を算出する。
【００８３】
なお、本発明において、「色の見え指標を算出する」とは、照明条件と、入力画像データとから、仮に反射記憶媒体上において前記入力画像データに基づく画像を形成し、前記照明条件下に置かれた場合の、視覚的な見えを、所定の「色の見えモデル」を用いて予測（「シミュレート」）演算することである。
【００８４】
「色の見えを予測する」とは、人間の目の視覚特性を考慮した色再現を意図したものであり、色の見えを予測した結果を「色の見えを表す指標」として算出し、算出した指標に従って、「画像処理」や「表示制御」を行うことはその一例に過ぎない。人間の目の視覚特性は、様々な環境変化に応じて変動するなど非常に複雑なものであるが、本発明の実施に際しては、少しでも多くの視覚特性を再現できる態様とすることが望ましい。
【００８５】
「色の見えモデル」とは、種々の観察条件下における「色の見え」を予測することが可能なモデルである。より具体的には、照明条件から、観察条件パラメータを算出する変換を行い、指定の観察条件下における「色の見え指標」を算出する。このような「色の見えモデル」としては、国際照明委員会（ＣＩＥ）によって標準モデルとして勧告されたＣＩＥＣＡＭ９７ｓがよく用いられている。また、ＣＩＥＣＡＭ９７ｓの発表後、さらに改良が続けられ、ＣＩＥＣＡＭ０２が間もなく勧告されようとしており、ＣＩＥＣＡＭ９７ｓ又はＣＩＥＣＡＭ０２が好ましく用いられる。
「色の見えモデル」には、上記モデル以外にも、納谷モデル、Ｈｕｎｔモデル、ＲＬａｂモデル、ＬＬａｂモデルなど、いくつも発表されている。これらのモデルは、同様に本発明に適用できる。
【００８６】
なお、色の見え指標の算出は、入力画像データの一部、例えば最も明るい領域や、最も暗い領域などに対してのみ算出するものであってもよく、この場合は制御部１１の演算処理負荷が軽減されるので、素早い表示切り替えや消費電力が低減できる点で好ましい。
【００８７】
表示用画像データ生成手段１１３は、色の見え指標算出手段１１２で算出された色の見え指標及び画像データ入力部１７や記憶部１３から入力された画像データ等に基づき、画像表示部１２が有する色空間に合わせて変換された色のＲＧＢ値を出力する。
【００８８】
本発明において「表示用画像データ」とは、入力画像データと類似の表現体系を有するデータであり、例えば入力画像データがｓＲＧＢ色空間やｓｃＲＧＢ色空間のＲＧＢ値であれば、表示用画像データはｓＲＧＢ色空間のＲＧＢ値である。
【００８９】
したがって、本発明において表示用画像データの生成とは、本発明の画像表示装置の特性（例えば「色域」）に応じて定義されたルックアップテーブル（ＬＵＴ）による信号変換処理を施すことと同義であり、従来から知られている手法である。なお、前記ＬＵＴの仕様に応じて、色の見え指標生成工程で算出された「色の見え指標」である「色相」、「明度」、及び「彩度」から、ＬＵＴ用の入力値に変換処理を施す必要がある。
【００９０】
なお、本発明において「画像表示手段を制御する」こと、すなわち表示制御とは、画像表示手段に対して前記表示用画像データ及び後述する表示用制御データのうち少なくとも一方を出力することを表す。
【００９１】
また、本発明の表示制御は、画像表示手段の画像表示領域全面に対して行われるものであっても、一部の領域に対して行われるものあってもよい。
【００９２】
照明条件変化検出手段１１５は、図１の測光部１５から出力された照度や色温度等が、前に観察条件パラメータ算出手段１１１が観察条件パラメータ算出を行ったときと比べて変化しているか否かを検出するものであり、具体的には観察条件パラメータ算出手段１１１で算出された観察条件パラメータと、記憶部１３に記憶された、前に算出された観察条件パラメータとを比較し、その差が予め定めた閾値以内であるか否かを判断する。
【００９３】
図１の操作部１４による本発明に係る画像表示装置１０の設定について、図４を用いて説明する。図４は、画像表示装置１０の画像表示部１２に表示された表示設定画面の一例を示す図である。
【００９４】
画像表示モードの設定時に画像表示手段１２に表示される表示設定画面１４０は、家具モードスイッチ１４１、適用度合スイッチ１４２、再現種類スイッチ１４３、調和サイクルチェックスイッチ１４４、節電スイッチ１４５からなる。表示設定画面１４０は、操作部１４の操作と連動して表示が切り替わり、表示設定として図１の記憶部１３に記憶される。
【００９５】
家具モードスイッチ１４１は、画像表示装置１０をあたかも壁に貼った絵画や写真のように使用するか、動画や文字を表示させるモニタとして使用するかを切り替えるスイッチである。「入」ボタン１４１ａは、壁に貼った絵画や写真のように使用する場合に選択され、「切」ボタン１４１ｂは、動画や文字を表示させるモニタとして使用する場合に選択され、「自動」ボタン１４１ｃは、入力画像データを判別して、静止画である場合は「入」に、動画や文字画像である場合は「切」に、自動的に切り替える場合に選択される。図４では、「入」ボタン１４１ａが選択されている。なお、以下に説明する適用度合スイッチ１４２、再現種類スイッチ１４３、調和サイクルチェックスイッチ１４４は、家具モードスイッチ１４１において「入」又は「自動」が選択された場合に有効となるものである。
【００９６】
適用度合スイッチ１４２は、本発明の色の見え指標を画像表示装置１０の画像表示制御にどの程度適用するかの度合を設定するスイッチで、スライドバー１４２ａ上にポインタ１４２ｂを移動させて、５段階で選択するものである。「調和する」側に近いほど、色の見え指標を適用する度合が高く、「見やすい」側に近いほど、色の見え指標を適用する度合が低い。図４では、色の見え指標を１００％適用する「調和する」にポインタ１４２ｂが選択されている。
【００９７】
再現種類スイッチ１４３は、本発明の色の見え指標を算出及び画像表示を制御するに当たり、想定する反射支持体の種類を選択するスイッチである。「写真プリント（グロス）」ボタン１４３ａは、光沢仕上げのカラープリントを想定する場合に選択され、「写真プリント（マット）」ボタン１４３ｂは、つや消し仕上げのカラープリントを想定する場合に選択され、「絵画」ボタン１４３ｃは、キャンバス地や紙に描かれた絵画を想定する場合に選択され、「壁紙」ボタン１４３ｄは、画像表示装置１０が掲示されている部屋の壁紙を想定する場合に選択される。図４では、「写真プリント（マット）」が選択されている。
【００９８】
調和チェックサイクルスイッチ１４４は、図１の測光部１５により画像表示装置１０の置かれた照明条件を検知、本発明の色の見え指標の算出、画像表示を制御する間隔を設定するスイッチで、スライドバー１４４ａ上にポインタ１４４ｂを移動させて、５段階で選択するものである。「常時」は、照明条件の検知を常時行い、「チェックしない」は一度検知された照明条件で色の見え指標を算出するものである。そして、「常時」に近いほど照明条件を検知するインターバルは短く、「チェックしない」に近いほどインターバルは長い。図４では、照明条件を検知するインターバルは「１分おき」にポインタ１４４ｂが選択されている。調和チェックサイクルスイッチ１４４を設けることにより、色の見え指標算出や画像表示制御で制御部１１が消費する電力を極力低減した上で、画像表示装置１０を調度類として、何ら違和感を覚えることなく鑑賞することが可能となる。
【００９９】
節電スイッチ１４５は、画像表示装置１０の節電を行うか否かを切り替えるスイッチである。「する」ボタン１４５ａは、画像表示装置１０の節電を行う場合に選択され、図１の人体感知部１６で人体を検知できない場合には、照明条件の検知を行わなかったり、画像表示手段１２の表示を行わないようにし、人体を検知した場合に画像表示制御を再開する。「しない」ボタン１４５ｂは、人体感知部１６の検知結果に関係なく、画像表示の制御を行うものである。節電スイッチ１４５を設けることにより、画像表示装置１０の消費電力を低減することができる。図４では「する」が選択されている。
【０１００】
図１の記憶部１３について、図５を用いて説明する。図５は、図１の記憶部１３の内部構成を示すブロック図である。
【０１０１】
記憶部１３は、観察条件パラメータ記憶手段１３１、表示用画像データ記憶手段１３２、表示用制御データ記憶手段１３３としての機能を有し、必要に応じてデータの書き込み又は読み出を行う。
【０１０２】
観察条件パラメータ記憶手段１３１は、図３の観察条件パラメータ算出手段１１１が観察条件パラメータを算出するために、図１の測光部１５で検知された照度及び色温度、図１の人体感知部１６で検知された画像表示装置１０から人間までの距離並びに図４で説明したように図１の操作部１４で設定した各種画像表示設定と予め対応付けられた、観察条件パラメータ（例えば、順応視野における白色の３刺激値Ｘｗ、Ｙｗ、Ｚｗ、順応視野の平均輝度ＬＡ、背景の相対輝度Ｙｂ、周辺の条件により決定する定数ｃ、Ｎｃ、ＦＬＬ、Ｆ等）を記憶している。
【０１０３】
表示用画像データ記憶手段１３２は、図３の表示用画像データ生成手段１１３で生成された表示用画像データを記憶する。
【０１０４】
表示用制御データ記憶手段１３３は、図３の表示用制御データ生成手段１１４で生成された表示用制御データを記憶する。
【０１０５】
本発明の画像表示装置の動作について、図６を用いて説明する。図６は、図１の画像表示装置１０における画像表示処理を表すフローチャートである。
【０１０６】
なお、図６のフローチャートは、画像表示装置１０の電源は投入された状態であり、操作部１４によって図４に示した表示設定がされ、表示する静止画の入力画像データが選択された状態からのものである。
【０１０７】
ステップＳ１０１では、画像データ入力部１７により入力画像データが読み出された後、入力画像データに予め付加されたタグ情報の解析が行われる（画像データ読み出工程及びタグ情報解析工程）。
【０１０８】
タグ情報は、例えば、デジタルスチルカメラ用画像ファイルフォーマット規格（Ｅｘｃｈａｎｇｅａｂｌｅ  ｉｍａｇｅ  ｆｉｌｅ  ｆｏｒｍａｔ  ｆｏｒ  ｄｉｇｉｔａｌ  ｓｔｉｌｌ  ｃａｍｅｒａｓ：Ｅｘｉｆ）に規程されるタグ情報の形式で、撮影条件に関するタグ（例えば光源（ＬｉｇｈｔＳｏｕｒｃｅ）タグ、Ｆｌａｓｈタグ、被写体位置（ＳｕｂｊｅｃｔＬｏｃａｔｉｏｎ）タグ、被写体領域（ＳｕｂｊｅｃｔＡｒｅａ）タグ等）や、入力画像データが色の見え指標に基づいて生成されたか否か、すなわち家具モードで処理済みの画像データであるか否かを判別するための画像処理（ＣｕｓｔｏｍＲｅｎｄｅｒｅｄ）タグが付属情報として入力画像データの一部に記録されている。
【０１０９】
ステップＳ１０２では、入力画像データの階調変換処理が行われる（階調変換処理工程又はシーン参照画像生成工程）。具体的には、入力画像データのｓｃＲＧＢ色空間をｓＲＧＢ色空間へと階調変換処理する。入力画像データの階調変換処理には、例えば入力画像データから算出される明度や彩度のヒストグラム解析といった入力画像データの解析も含んでいる。
【０１１０】
ステップ１０３では、図１の操作部１４によって図４の家具モードスイッチ１４１が「入」又は「自動」になっているか否か、すなわち表示画像を調度類として使用する家具モードが選択されているか否かが判断される。家具モードが選択されている場合（ステップＳ１０３：ＹＥＳ）、ステップＳ１０４の処理が実行され、家具モードが選択されていない場合（ステップＳ１０３：ＮＯ）、すなわち動画や文字を鑑賞するために表示する通常モードが選択されている場合はステップＳ１１３の処理が実行される。
【０１１１】
ステップＳ１０４では、ステップＳ１０１で実行されたタグ情報の解析において、当該入力画像データが既に家具モードで処理されたことを表すタグ情報が付与されていたか否か、すなわち入力画像データが家具モードで処理されたものであるか否かが判断される。家具モードで処理されたものであると判断された場合（ステップＳ１０４；ＹＥＳ）、ステップＳ１１３の処理が実行され、家具モードで処理されたものでないと判断された場合（ステップＳ１０４；ＮＯ）、ステップＳ１０５の処理が実行される。
【０１１２】
ステップＳ１０５では、図１の測光部１５により、画像表示装置１０の照明条件として照度と色温度の検知が行われる（照明条件検知工程）。
【０１１３】
ステップＳ１０６では、ステップＳ１０５で検知された照明条件に基づいて、図３の観察条件パラメータ算出手段１１１により、観察条件パラメータの算出が行われる（観察条件パラメータ算出工程）。
【０１１４】
ステップＳ１０７では、図３の照明条件変化検出手段１１５により、ステップＳ１０６で算出された観察条件パラメータが、前に観察条件パラメータ算出を行ったときと比べて変化しているか否かが判断される（照明条件変化検出工程）。具体的にはステップＳ１０６で算出された観察条件パラメータと、図１の記憶部１３に記憶された、前に算出された観察条件パラメータとを比較し、その差が予め定めた閾値以内であるか否かによって判断される。観察条件パラメータが変化していると判断されると（ステップＳ１０７；ＹＥＳ）、ステップＳ１０８の処理が実行され、観察条件パラメータが変化していないと判断されると（ステップＳ１０７；ＮＯ）、ステップＳ１１１の処理が実行される。
【０１１５】
ステップＳ１０８では、ステップＳ１０１で読み出された入力画像データ及びステップＳ１０６で算出された観察条件パラメータとに基づき、図３の色の見え指標算出手段１１２により、色の見え指標が算出される（色の見え指標算出工程）。
【０１１６】
ステップＳ１０９では、ステップＳ１０８で算出された色の見え指標に基づいて、図３の表示用画像データ生成手段１１３により表示用画像データが作成される（表示用画像データ生成工程）。
【０１１７】
ステップＳ１１０では、ステップＳ１０９で生成された表示用画像データ又は既に家具モードで処理済みの入力画像データが、観察条件パラメータと対応付けて、図５の表示用画像データ記憶手段１３２に書き込まれる（記憶工程）。
【０１１８】
ステップＳ１１１では、入力画像データが、前に入力画像データに基づく画像表示を行ったときと比べて変化しているか否かが判断される。入力画像データが変化していると判断されると（ステップＳ１１１；ＹＥＳ）、ステップＳ１０８の処理が実行され、入力画像データが変化していないと判断されると（ステップＳ１１１；ＮＯ）、ステップＳ１１２の処理が実行される。
【０１１９】
ステップＳ１１２では、図５の表示用画像データ記憶手段１３２に記憶された表示用画像データを読み出す（表示用データ読み出工程）。
【０１２０】
ステップＳ１１３では、ステップＳ１０９で生成され或いはステップＳ１１２で読み出された表示用画像データ又はステップＳ１０２で階調変換された入力画像データが画像表示部１２に出力され、画像表示部１２で静止画が表示され、処理を終了する（表示用データ出力工程）。
【０１２１】
図６のステップＳ１０２における入力画像データの解析処理について詳細に説明するが、その前に本発明の入力画像データについて詳述する。
【０１２２】
入力画像データの解析処理の前提となる本発明の「入力画像データ」の一例としては、被写体情報を電気的な信号値として保持したデジタル画像データである。カラー写真フィルムに色素画像情報として記録され、スキャナによる読み取りで生成されたデジタル画像データや、デジタルカメラによる撮影で生成されたデジタル画像データなど、デジタル画像データを得るまでのプロセスは如何なるものであってもよい。
【０１２３】
ただし、カラーネガフィルムから、スキャナによる読み取りでデジタル画像データを生成する際は、カラーネガフィルムの未露光部（最低濃度部）がデジタル画像データのＲＧＢ値が全て０となるよう最大透過光量の較正と反転処理を施し、透過光量に正比例したスケールから対数（濃度）スケールへの変換処理と、カラーネガフィルムのガンマ補正処理を施すことにより、被写体の輝度変化に対しほぼ比例した状態を再現しておくことが望ましい。
【０１２４】
また、デジタルカメラによる撮影で得られたデジタル画像データにおいても同様に、被写体の輝度変化に対しほぼ比例した状態を再現していることが望ましい。このような状態で保存されたデジタル画像データのファイル形式としては、ＲＡＷデータ（ＣＣＤ（Ｃｈａｒｇｅ  Ｃｏｕｐｌｅｄ  Ｄｅｖｉｃｅ）が受光した生データ）が知られている。すなわち、本発明において、入力画像データは、ＲＡＷデータであることが望ましい。また、被写体の輝度変化に対しほぼ比例した状態で記録されたファイル形式として、後述の「シーン参照画像データ」も知られている。さらに、後述の「鑑賞画像参照データ」を入力画像データとして用いることもできる。さらに、美術品など忠実な再現が要求される場合、シーン参照画像データ、鑑賞画像参照データの色空間は、「輝度拡張色空間」（例えば、ｓｃＲＧＢ）であることが望ましい。
【０１２５】
以下、シーン参照画像データ及び鑑賞画像参照データについて説明する。
【０１２６】
一般の撮影シーンは、照明のムラが多く、輝度比が１０００倍を超えることも珍しくない（例えば、日本色彩学会編  色彩科学ハンドブック第２版，東京大学出版会，ｐ９２５−９２６（１９９８））。これに対して、各種メディアが表示可能なる輝度比は１００倍オーダーである。必然的に写真階調はシーン階調と異なることになり、１００倍オーダーの輝度比のメディア上で、１０００倍オーダーの輝度比のシーンの印象をいかに適切に演出するかが写真設計の基本である。
【０１２７】
このシーン階調から写真階調への変換は、シーンの状態（構図内の輝度比、主要被写体の輝度等）により適切なマッピング条件が異なり、一律に決定することができない。そこで銀塩写真の場合には下記のアーキテクチャが採用されている。
［設計１］ネガフィルムは、数千倍オーダーの輝度比に応じてリニアに濃度が変化する軟調設計にする。これにより、シーンの輝度情報は漏れなくネガフィルムに記録される。
［設計２］上記の軟調なネガフィルム画像を、硬調な印画紙に焼き付けることで、鑑賞に適した階調とする。焼き付け露光量を調節することで、幅広いシーン輝度のどこを中心に写真階調を再現するかを選択する。
【０１２８】
設計２では、ネガフィルム画像をプリンタが自動解析することで適切な条件を算出している。この算出結果が撮影の意図と合致しなかった場合、ユーザがその旨を指摘して「焼き直し」をすれば、適切な写真を作成することができる。ユーザの指摘としては、例えば、風景描写を優先したプリントに対して、日陰の人物を重視したいと指摘する等の例が挙げられる。
【０１２９】
リバーサルフィルムの場合、フィルム現像で直接鑑賞用画像を生成するため、設計１のような軟調設計ができない。よって、リバーサルフィルムは記録可能な輝度比の幅が狭く、適正な画像を撮影するためには、撮影時に撮影条件（照明、絞り、シャッター）を慎重に設定する必要があり、撮影後に「焼き直し」等で修正することはできない。このため、リバーサルフィルムはプロ・ハイエンドアマチュア専用の商品として販売されている。このように、銀塩写真におけるネガフィルムとポジフィルムは、ネガ・ポジの階調差以外に、画像データの性質が異なっていると言える。
【０１３０】
このような観点でデジタルカメラと銀塩写真のアーキテクチャを比較すると、一般用の（ｓＲＧＢの可視画像ファイルを生成する）デジタルカメラの機構は、リバーサルフィルムの機構に相当する。すなわち、幅広いシーン輝度のどこを中心に写真階調を再現するかは、露出制御プログラムの精度に依存しており、撮影後に修正することはできない。一方、プロユーザは、ＲＡＷデータを記録するデジタルカメラを利用し、撮影後に現像ソフトでシーン輝度のどこを中心に写真階調を再現するかを指定している。この方法はネガフィルムの機構に相当する。このように、一般用のデジタルカメラによる撮影で生成されるｓＲＧＢ画像とＲＡＷデータでは、画像データの性質が異なっていると言える。
【０１３１】
こうした画像データの性質の違いは、画像データのレンダリング状態の差異に起因するものであり、この「画像データのレンダリング状態」を示す概念として「Ｉｍａｇｅ  Ｓｔａｔｅ」という用語が用いられている。Ｉｍａｇｅ  Ｓｔａｔｅ  の詳細な定義は、例えば、下記の文献に示されている。
【０１３２】
「Ｒｅｑｕｉｒｅｍｅｎｔｓ  ｆｏｒ  Ｕｎａｍｂｉｇｕｏｕｓ  Ｓｐｅｃｉｆｉｃａｔｉｏｎ  ｏｆ  ａ  Ｃｏｌｏｒ  Ｅｎｃｏｄｉｎｇ  ＩＳＯ２２０２８−１」，Ｋｅｖｉｎ  Ｓｐａｕｌｄｉｎｇ，ｉｎ  Ｐｒｏｃ．  Ｔｅｎｔｈ  Ｃｏｌｏｒ  Ｉｍａｇｉｎｇ  Ｃｏｎｆｅｒｅｎｃｅ：Ｃｏｌｏｒ  Ｓｃｉｅｎｃｅ  ａｎｄ  Ｅｎｇｉｎｅｅｒｉｎｇ  Ｓｙｓｔｅｍｓ，Ｔｅｃｈｎｏｌｏｇｉｅｓ，Ａｐｐｌｉｃａｔｉｏｎｓ，ＩＳ＆Ｔ，Ｓｐｒｉｎｇｆｉｅｌｄ，ＶＡ，ｐ．１０６−１１１（２００２）。
【０１３３】
Ｉｍａｇｅ  Ｓｔａｔｅの種類を示す用語として、「ｓｃｅｎｅ−ｒｅｆｅｒｒｅｄ」及び「ｏｕｔｐｕｔ−ｒｅｆｅｒｒｅｄ」がある。「ｓｃｅｎｅ−ｒｅｆｅｒｒｅｄ」とは、風景シーンの色度評価値を表現した状態を意味し、例えば、デジタルカメラのＲＡＷデータに分光感度等の較正のみを施し、意図的な強調を加えていない画像の状態に相当する。シーン参照画像データは、シーンの色度評価値を相対的に表現したものであるが、付加的なスケール情報をも参照することで絶対的な色度評価値に換算することも可能である。スケール情報としては、ＯＥＣＦ（光電変換特性、ＩＳＯ１４５２４で定義）、絞りのＦナンバー、露光時間が挙げられる。「ｏｕｔｐｕｔ−ｒｅｆｅｒｒｅｄ」とは、特定の出力機器、観察条件に対して適切な表現にレンダリングされた状態を意味する。例えば、一般的なデジタルカメラが生成するＪＰＥＧ画像はディスプレイ表示に最適化されているので「鑑賞画像参照データ」に該当する。
【０１３４】
本発明における「シーン参照画像データ」とは、ｓｃｅｎｅ−ｒｅｆｅｒｒｅｄのｉｍａｇｅ  ｓｔａｔｅに属する画像データの一種であり、特に記録された画素の輝度値とシーン輝度の関係が実質的に一次直線の関係にあるものを意味している。また、「鑑賞画像参照データ」とは、ｏｕｔｐｕｔ−ｒｅｆｅｒｒｅｄのｉｍａｇｅ  ｓｔａｔｅに属する画像データを意味している。
【０１３５】
まとめると、「シーン参照画像データ」とは、少なくとも撮像素子自体の分光感度に基づく各色チャンネルの信号強度を、ＲＩＭＭ  ＲＧＢ、ＥＲＩＭＭ  ＲＧＢ、ｓｃＲＧＢ等の色空間（後述の「輝度拡張色空間」）にマッピング済みであり、階調変換、鮮鋭性強調、彩度強調のような画像鑑賞時の効果を向上するためにデータ内容を改変する画像処理が省略された状態の画像データを意味する。またシーン参照画像データは、撮像装置の光電変換特性（ＩＳＯ１４５２が定義するｏｐｔｏ−ｅｌｅｃｔｒｏｎｉｃ  ｃｏｎｖｅｒｓｉｏｎ  ｆｕｎｃｔｉｏｎ，  例えば、コロナ社「ファインイメージングとデジタル写真」（社）日本写真学会出版委員会編、４７９頁参照。）の補正を行ったものであることが好ましい。標準化されたシーン参照画像データの情報量（例えば階調数）はＡ／Ｄ変換器の性能に準じ、鑑賞画像参照データで必要とされる情報量（例えば階調数）と同等以上であることが好ましい。例えば、鑑賞画像参照データの階調数が１チャンネルあたり８ｂｉｔである場合、シーン参照画像データの階調数は１２ｂｉｔ以上が好ましく、１４ｂｉｔ以上がより好ましく、１６ｂｉｔ以上がさらに好ましい。
【０１３６】
以下、「輝度拡張色空間」について、詳細に説明する。
【０１３７】
現在デジタルカメラ画像で普遍的に用いられているｓＲＧＢ色空間は、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）によりＩＥＣ６１９６６−２−１として規格定義されている。例えば、８ｂｉｔの場合、黒色点は８ｂｉｔの最小値である０、白色点は８ｂｉｔの最高値である２５５と規定され、かつ画像データを表示、印刷するときのガンマは２．２と規定されている。ここで白色点とは何を指すのかが問題になる。白色点としては［１］表示・印刷する際のメディアの白地、［２］撮影シーンにおける完全拡散反射板の白地、［３］撮影シーンにおける輝度最大値（鏡面反射や発光部を含む。）の３通りが考えられるが、現在市場にある表示デバイス・プリンタ・画像関連のアプリケーションソフトウエアは、上記［１］を白色点とみなして稼動している。
【０１３８】
デジタルカメラでの撮影により得られたＲＡＷデータを鑑賞画像参照データ（ｏｕｔｐｕｔ−ｒｅｆｅｒｒｅｄ）に変換する際には、表示・印刷の際に白色表示したいシーン輝度に白色点を割りつけるが、この場合、［２］や［３］の領域が該白色点より撮影輝度値が高いことが多く、白色点以上の画素値は記録できないため、該領域を白く塗りつぶすことになる。しかしながら、デジタルカメラの露光調整は万能ではないため、後で画像を調整する必要が生じる。例えば、額や鼻で光が反射して、顔の中に白ヌケが発生している場合が例として挙げられる。ところが、ｓＲＧＢ色空間で記録した画像では、該領域は白（８ｂｉｔの場合２５５）でクリッピングされており、該領域の撮影情報は失われているため、これを修正することができない。こうした問題を避けるために、上記［３］を白色点としてデータ記録することが考えられるが、表示デバイス・プリンタ・画像関連のアプリケーションソフトウエアは該白色点を［１］として扱うため、こうした画像は暗く軟調に表示・プリントされて鑑賞に適さない。
【０１３９】
こうした問題に対応するため、白色点を超える輝度値の記録を可能にした色空間が提案されている。例えば、ＩＥＣ６１９６６−２−２が規定するｓｃＲＧＢ、ｓｃＲＧＢ−ｎｌ、ｓｃＹＣＣ−ｎｌや、ＡＮＳＩ／Ｉ３Ａ  ＩＴ１０．７４６６が規定するＲＩＭＭ  ＲＧＢ、ＥＲＩＭＭ  ＲＧＢが例として挙げられる。本明細書では、こうした色空間を輝度拡張色空間と総称する。
【０１４０】
１６ｂｉｔのｓｃＲＧＢ色空間を例にとって説明する。ＣＩＥ１９３１ＸＹＺ空間での測色値を、黒色点を０、白色点を１で規格化した値をＸ、Ｙ、Ｚとすると、ｓｃＲＧＢのＲ、Ｇ、Ｂ値は式（１）のように定義される。
【０１４１】
【数１】
2005300639.tif 000003
【０１４２】
【数２】
2005300639.tif 000004
【０１４３】
逆に、ｓｃＲＧＢのＲ、Ｇ、Ｂ値からＸ、Ｙ、Ｚ値へは、式（３）及び式（４）のように変換することができる。
【０１４４】
【数３】
2005300639.tif 000005
【０１４５】
【数４】
2005300639.tif 000006
【０１４６】
式（１）において、Ｒ’、Ｇ’、Ｂ’は、整数に量子化されない浮動少数点での値を示す。上記の定義により、黒色点の（Ｒ’、Ｇ’、Ｂ’）は（０、０、０）となり、その１６ｂｉｔ表現（Ｒ、Ｇ、Ｂ）は（４０９６、４０９６、４０９６）となる。またＤ65白色点での（Ｒ’、Ｇ’、Ｂ’）は（１、１、１）となり、その１６ｂｉｔ表現（Ｒ、Ｇ、Ｂ）は（１２２８８、１２２８８、１２２８８）となる。１６ｂｉｔ表現においては、０から４０９５までが黒色点以下の輝度、４０９６から１２２８８までが黒色点以上白色点以下の輝度、１２２８９から６５５３５までが白色点を超える輝度に相当し、黒色点を０．０、白色点を１．０で規格化した値において−０．５から７．４９９９の輝度範囲を表現することができる。
【０１４７】
式（２）は、色空間を１６ｂｉｔの符号無し整数で表現するための変換であり、画像処理装置で浮動少数点を高速に処理できる場合は、式（１）で定義される浮動少数点値（Ｒ’、Ｇ’、Ｂ’）を内部演算で用いてもよい。この（Ｒ’、Ｇ’、Ｂ’）値は、輝度に対して比例関係にあるために画像処理の演算式が簡単になり、浮動少数点処理が許される場合の本発明の内部演算としては好ましい形態である。
【０１４８】
なお、ｓｃＲＧＢは輝度値と一次式の関係にある整数を記録するため、ファイルに記録したときのサイズが大きくなる。そこで、記憶部１３に記憶したり、他の画像処理装置・表示装置・プリンタにデータを送ったりする際には、ｓｃＲＧＢより小さいサイズで記録できる輝度拡張色空間にデータを変換してもよい。こうした色空間としては、ＩＥＣ６１９６６−２−２  Ａｎｎｅｘ  Ｂ  が規定するｓｃＲＧＢ−ｎｌ，  ｓｃＹＣＣ−ｎｌ  や、ＡＮＳＩ／Ｉ３Ａ  が規定するＲＩＭＭ  ＲＧＢが挙げられる。逆にデータサイズが問題にならない場合は、整数値のｓｃＲＧＢの代わりに、浮動少数点表記のデータをファイルに記録したり、他の画像処理装置、表示装置、プリンタにデータ転送する形態も考えられる。このように具体的な輝度拡張色空間の選択は、本発明を適用する装置の仕様に基づき任意に決めることができる。
【０１４９】
本発明では、入力画像データの色空間は、輝度拡張色空間へと変換されたものが望ましい。また、輝度拡張色空間は、ｓｃＲＧＢであることが望ましい。また、本発明において、輝度拡張色空間の状態を保持したまま色域調整工程を実行することが望ましい。さらに、出力される鑑賞画像参照データのファイル形式も輝度拡張色空間であることが望ましい。
【０１５０】
図６のステップＳ１０２における入力画像データの解析処理について図７を用いて説明する。図７は、図６のステップＳ１０２における入力画像データの解析処理を表すフローチャートである。
【０１５１】
ステップＳ１２０１では、入力画像データの解析が行われる。
【０１５２】
入力画像データの解析では、例えば、入力画像データの画素毎の色相値と明度値を取得し、所定の明度領域が入力画像の画面内に占める割合すなわち明度領域毎の占有率や、所定の色相及び明度の組み合わせからなる分割領域が入力画像の画面内に占める割合すなわち分割領域毎の占有率が算出される。
【０１５３】
ステップＳ１２０２では、図６に示したステップＳ１０１で解析したタグ情報及びステップＳ１２０１での入力画像データの解析結果に基づいて撮影シーンの推定が行われ、例えば、撮影シーンが、逆光シーン、半逆光シーン、ストロボ撮影、ストロボ近接撮影、通常シーンのいずれかに推定される。
【０１５４】
ステップＳ１２０３では、ステップＳ１２０２で推定した撮影シーンに基づき、「黒色飽和点」、「白色飽和点」及び入力画像データに適用する「階調変換曲線の種類」が決定される。ステップＳ１２０３の処理は、いわゆる階調マッピング処理の一部であり、輝度拡張色空間で表される入力画像データの輝度域の一部を、画像表示装置用の再現輝度域として制限された「基準色空間」、具体的には、ｓＲＧＢ色空間に割り当てる。すなわち、８ｂｉｔの画像データ（０〜２５５）の場合、黒色飽和点は、ｓＲＧＢ空間における０に該当し、白色飽和点は、ｓＲＧＢ空間における２５５に該当する。
【０１５５】
階調変換曲線の決定は、ステップＳ１２０２で推定された撮影シーン毎に階調変換曲線をその都度作り変えることで行ってもよいし、例えば図８に示すように予め階調変換曲線８１〜８５を複数用意しておき、推定された撮影シーンに応じて階調変換曲線を選択し適用するものであってもよい。図８においては、撮影シーンに応じて得られる入力画像データの平均入力値Ｃ１〜Ｃ５が、それぞれ変換目標値Ｂになるように階調変換曲線が選択され適用される。
【０１５６】
ステップＳ１２０４では、ステップＳ１２０３で決定された階調変換曲線が入力画像データに適用（階調マッピング処理）されることによって、入力画像データに階調変換処理が施され、処理を終了する。
【０１５７】
以上、説明した入力画像データの解析処理により、画像が表示された画像表示装置の鑑賞時に、例えば階調変換、鮮鋭性強調、彩度強調のような、ユーザの嗜好に合わせた意図的な効果を付加して画像を表示することが容易に可能となる。
【０１５８】
図６のステップＳ１０３における観察条件パラメータ算出処理について説明する。
【０１５９】
観察条件パラメータは、図６のステップＳ１０８における色の見え指標算出処理で使用する第１観察パラメータと、ステップＳ１０９の表示用画像データ生成処理で使用する第２観察パラメータとを含み、いずれも、図３の観察条件パラメータ算出手段１１１により、所定の演算式により算出されるか、図５に示した観察条件パラメータ記憶手段１３１に予め記憶されたパラメータが読み出されることによって算出される。
【０１６０】
第１観察条件パラメータは、下記からなり、主に図６のステップＳ１０５で検知された照度と色温度及び図４の再現種類スイッチ１４３で選択された再現種類によって変動する。
（１）順応視野における白色の３刺激値：Ｘｗ、Ｙｗ、Ｚｗ
（２）順応視野の平均輝度：ＬＡ
（３）背景の相対輝度：Ｙｂ
（４）周辺の条件により決定する定数：ｃ、Ｎｃ、ＦＬＬ、Ｆ
順応視野における白色の３刺激値Ｘｗ、Ｙｗ、Ｚｗは、順応視野（画像表示装置１０の画像表示部１２を鑑賞したときの視野全域）、すなわち画像表示装置１０の設置された場所における白色の３刺激値であり、図６のステップＳ１０５で検出された照度と色温度とに基づき算出される。
【０１６１】
順応視野の平均輝度ＬＡは、すなわち画像表示装置１０の設置された場所における物体の平均輝度であるが、画像表示装置１０の筐体１９の色や材質に予め対応付けられて観察条件パラメータ記憶手段１３１に記憶された定数と、Ｘｗ、Ｙｗ、Ｚｗと、図１に示した人体感知部１６で検知された観察者と画像表示装置１０との距離とＬＡとに基づき算出される。すなわち、観察者と画像表示装置１０との距離が近ければ、当該照明条件における筐体１９の輝度に近い値となり、観察者と画像表示装置１０との距離が遠ければ、画像表示装置１０が設置された背景となる壁面の輝度に近い値となる。したがって、より好ましくは、画像表示装置１０が設置された背景となる壁面の色や材質に予め対応付けられた定数がＬＡの算出に用いられる。
【０１６２】
背景の相対輝度Ｙｂは、１０度視野（腕を伸ばして握り拳で隠れる範囲）の、画像表示部１２に対する輝度の相対値であり、ＬＡに基づき算出される。
【０１６３】
周辺の条件により決定する定数ｃ、Ｎｃ、ＦＬＬ、Ｆは、画像表示部１２で表示される白色の輝度と画像表示装置１０の周囲にある白色の輝度との比率から求められるＣＩＥＣＡＭ９７ｓで規定された定数で、図４に示した再現種類スイッチ１４３で選択された再現種類、図６のステップＳ１０５で検出された照度及び色温度に基づき、これらに対応付けられて予め観察条件パラメータ記憶手段１３１に記憶されたパラメータが選択される。
【０１６４】
第２観察条件パラメータは、下記からなる。第２観察条件パラメータは、主に図６のステップＳ１０５で検知された照度と色温度によって変動するもので、画像表示装置１０の画像表示部１２固有のパラメータとなる点を除いては第１観察条件パラメータと同様なので説明を省略する。
（１）順応視野における白色の３刺激値：Ｘｗ’、Ｙｗ’、Ｚｗ’
（２）順応視野の平均輝度：ＬＡ’
（３）背景の相対輝度：Ｙｂ’
（４）周辺の条件により決定する定数：ｃ’、Ｎｃ’、ＦＬＬ’、Ｆ’
図６のステップＳ１０８における色の見え指標の算出処理の詳細について説明する。本発明において色の見え指標の算出は、「色の見えモデル」による正変換処理に相当する。
【０１６５】
以下、色の見えモデルとしてＣＩＥＣＡＭ９７ｓが適用された場合について図９を用いて説明する。図９は、図６のステップＳ１０８における色の見え指標算出処理を示すフロー図である。
【０１６６】
なお、色の見え指標の算出処理は、図６のステップＳ１０１で読み出された入力画像データを表す色空間の全域において行われることが、正確な色の見え予測を行う上で好ましいが、その処理量は膨大なものとなるので、例えば数十〜数千の代表点を予め定めておいて、それらの代表点について色の見えを予測したり、入力画像データのうち、予め定めた閾値よりも大きな値を有する色のみ或いは小さな値を有する色のみ対象として色の見えを予測することが、迅速な処理が行われる上で好ましい。
【０１６７】
ステップＳ１０８１で、入力画像データの各画素のＲＧＢ値が、色の３刺激値ＸＹＺに変換される。画像データがｓｃＲＧＢで記載されている場合は、ＲＧＢ値は、次式により色の３刺激値Ｘ、Ｙ，Ｚに変換される。
【０１６８】
【数５】
2005300639.tif 000007
【０１６９】
また、ｓＲＧＢの場合は、ＲＧＢ値は、次式により色の３刺激値Ｘ、Ｙ，Ｚに変換される。
【０１７０】
【数６】
2005300639.tif 000008
【０１７１】
【数７】
2005300639.tif 000009
【０１７２】
【数８】
2005300639.tif 000010
【０１７３】
【数９】
2005300639.tif 000011
【０１７４】
また、ＲＡＷデータの場合は、デジタルカメラの特性を記述したＩＣＣプロファイルを用いて変換される。具体的には、プロファイル内に記述されている、３×３マトリックス情報を用いて、上記と同様の変換が実行される。
【０１７５】
次に、ステップＳ１０８２で、図６のステップＳ１０６で算出された第１観察条件パラメータから、後の計算で使用する以下の値を計算する。
【０１７６】
【数１０】
2005300639.tif 000012
【０１７７】
次に、ステップＳ１０８３で、画像データに対して色順応変換が行われる。色順応変換は、フォンクリースタイプの色順応変換を改良したもので、観察条件下での白色に対する順応度合いが考慮されている。まず、次式により、Ｘ、Ｙ、Ｚが
【０１７８】
【数１１】
2005300639.tif 000013
【０１７９】
に変換される（以下、文章中では、それぞれ、Ｒ１、Ｇ１、Ｂ１と表現する。）。
【０１８０】
【数１２】
2005300639.tif 000014
【０１８１】
ここで、変換マトリックスＭBとして、以下を使用する。
【０１８２】
【数１３】
2005300639.tif 000015
【０１８３】
上記のようにして変換したＲ１、Ｇ１、Ｂ１から、次式によって色順応変換した応答、Ｒｃ、Ｇｃ、Ｂｃが算出される。
【０１８４】
【数１４】
2005300639.tif 000016
【０１８５】
ここでＲｗ、Ｇｗ、Ｂｗは、順応白色の３刺激値をマトリックスＭBによって変換したものである。
【０１８６】
次に、ステップＳ１０８４で、色順応処理が施された画像データが、人間の視覚系のセンサに相当する錐体の応答Ｒ’、Ｇ’、Ｂ’に変換される。まず、次式に示すように、マトリックスＭＢによる変換の逆変換が行われ、それからＨｕｎｔ−Ｐｏｉｎｔｅｒ−Ｅｓｔｅｖｅｚ変換と呼ばれる３×３マトリックスがかけられる。
【０１８７】
【数１５】
2005300639.tif 000017
【０１８８】
次に、ステップＳ１０８５で、錐体応答に変換された画像データに対し、視覚系の非線形応答に対応した以下の変換が行われる。
【０１８９】
【数１６】
2005300639.tif 000018
【０１９０】
最後に、ステップＳ１０８６で、色の見えを予測する数値、色相角：ｈ、明度：Ｊ、クロマ：Ｃが、それぞれ下記の式に従って算出される。
【０１９１】
【数１７】
2005300639.tif 000019
【０１９２】
ｈ1、ｈ2、ｅ1、ｅ2については、以下の表から検索される。ｈ＜ｈ1の場合はｈ’＝ｈ＋３６０、それ以外はｈ’＝ｈとし、表１でｈi≦ｈ’＜ｈi+1を満たすｉを求め、ｈ1＝ｈi、ｈ2＝ｈi+1、ｅ1＝ｅi、ｅ２＝ｅi+1として使用される。
【０１９３】
【表１】
2005300639.tif 000020
【０１９４】
なお、色の見えモデルとして、ＣＩＥＣＡＭ０２を使用する場合、ステップＳ１０８２以後の処理を以下のように入れ替える。
【０１９５】
ステップＳ１０８２で、第１観察条件パラメータから、後の計算で使用する以下の値が計算される。
【０１９６】
【数１８】
2005300639.tif 000021
【０１９７】
次に、ステップＳ１０８３で、画像データに対して色順応変換を施される。色順応変換は、フォンクリースタイプの色順応変換を改良したもので、観察条件下での白色に対する順応度合いが考慮されている。まず、次式により、Ｘ、Ｙ、ＺがＲ１、Ｇ１、Ｂ１に変換される。
【０１９８】
【数１９】
2005300639.tif 000022
【０１９９】
ここで、変換マトリックスＭCAT02として、以下が使用される。
【０２００】
【数２０】
2005300639.tif 000023
【０２０１】
次いで、変換されたＲ１、Ｇ１、Ｂ１から、次式によって色順応変換した応答、Ｒｃ、Ｇｃ、Ｂｃが算出される。
【０２０２】
【数２１】
2005300639.tif 000024
【０２０３】
ここでＲｗ、Ｇｗ、Ｂｗは、順応白色の３刺激値をマトリックスＭCAT02によって変換されたものである。
【０２０４】
次に、ステップＳ１０８４で、色順応処理が施された画像データが、人間の視覚系のセンサに相当する錐体の応答Ｒ’、Ｇ’、Ｂ’に変換される。まず、変換マトリックスＭCAT02による変換の逆変換が行われ、それからＨｕｎｔ−Ｐｏｉｎｔｅｒ−Ｅｓｔｅｖｅｚ変換と呼ばれる３×３マトリックスがかけられる。
【０２０５】
【数２２】
2005300639.tif 000025
【０２０６】
次に、ステップＳ１０８５で、錐体応答に変換された画像データに対し、視覚系の非線形応答に対応した以下の変換が施される。
【０２０７】
【数２３】
2005300639.tif 000026
【０２０８】
最後に、ステップＳ１０８６で、色の見えを予測する数値、色相角：ｈ、明度：Ｊ、クロマ：Ｃが、それぞれ以下の式に従って算出される。
【０２０９】
【数２４】
2005300639.tif 000027
【０２１０】
以上の変換により、入力画像データのＲＧＢ値は、「色の見え」を表した色の見え指標Ｊ、Ｃ、ｈの値となる。
図４のステップＳ１１１における表示用画像データ生成処理の詳細について説明する。本発明において表示用画像データの生成は、「色の見えモデル」による逆変換処理である。
【０２１１】
以下、色の見えモデルとしてＣＩＥＣＡＭ９７ｓが適用された場合について図１０を用いて説明する。図１０は、図６のステップＳ１０９における表示用画像データ生成処理を示すフロー図である。
【０２１２】
まず、ステップＳ１１１１において、図６のステップＳ１０６で算出された第２観察条件パラメータ、Ｘｗ’、Ｙｗ’、Ｚｗ’、ＬＡ’、Ｙｂ’、ｃ’、Ｎｃ’、ＦＬＬ’、Ｆ’から下記変数が算出される。
【０２１３】
【数２５】
2005300639.tif 000028
【０２１４】
また、図９のステップＳ１０８３〜Ｓ１０８６の演算がＸｗ’、Ｙｗ’、Ｚｗ’に適用され、Ａｗ’が算出される。
【０２１５】
次に、ステップＳ１１１２で、色の見えを表すパラメータＪ、Ｃ、ｈから非線形応答値Ｒａ’、Ｇａ’、Ｂａ’が算出される。まず、Ｊ、Ｃから、以下の式によりＡとｓが求められる。
【０２１６】
【数２６】
2005300639.tif 000029
【０２１７】
次に、以下の式によりａ、ｂが求められる。
【０２１８】
【数２７】
2005300639.tif 000030
【０２１９】
ここで、［１＋ｔａｎ2（ｈ）］1/2の計算においては、ｈの値によって結果を以下の符号とする。
【０２２０】
【数２８】
2005300639.tif 000031
【０２２１】
ｈ1、ｈ2、ｅ1、ｅ2については、以下の表から検索される。ｈ＜ｈ1の場合はｈ’＝ｈ＋３６０、それ以外はｈ’＝ｈとし、表２でｈi≦ｈ’＜ｈi+1を満たすｉが求められ、ｈ1＝ｈi、ｈ2＝ｈi+1、ｅ1＝ｅi、ｅ2＝ｅi+1として使用される。
【０２２２】
【表２】
2005300639.tif 000032
【０２２３】
Ｒａ’、Ｇａ’、Ｂａ’は、以下の式から算出される。
【０２２４】
【数２９】
2005300639.tif 000033
【０２２５】
次に、ステップＳ１１１３で、非線形応答値Ｒａ’、Ｇａ’、Ｂａ’が逆変換され、錐体応答Ｒ’、Ｇ’、Ｂ’が求められる。
【０２２６】
【数３０】
2005300639.tif 000034
【０２２７】
ここで、Ｒａ’−１＜０の場合は、次式を使用する。Ｇａ’、Ｂａ’についても同様である。
【０２２８】
【数３１】
2005300639.tif 000035
【０２２９】
さらに、ステップＳ１１１４で、錐体応答が逆変換され、ＲｃＹ、ＧｃＹ、ＢｃＹが算出される。
【０２３０】
【数３２】
2005300639.tif 000036
【０２３１】
次に、ステップＳ１１１５で、色順応逆変換が行われ、測色値に戻される。
【０２３２】
はじめに、次式によってＹｃが算出される。
【０２３３】
【数３３】
2005300639.tif 000037
【０２３４】
次に、次式によって、（Ｙ／Ｙｃ）Ｒ、（Ｙ／Ｙｃ）Ｇ、（Ｙ／Ｙｃ）1/pＢが算出される。
【０２３５】
【数３４】
2005300639.tif 000038
【０２３６】
ここで、（Ｙ／Ｙｃ）＜０の場合は、（Ｙ／Ｙｃ）1/pＢの値を負にする。
【０２３７】
次に、次式によってＹ’が算出される。
【０２３８】
【数３５】
2005300639.tif 000039
【０２３９】
３刺激値Ｘ’’、Ｙ’’、Ｚ’’は、次式によって算出される。
【０２４０】
【数３６】
2005300639.tif 000040
【０２４１】
以上で、色の見えを表す値と、第２の観察環境パラメータから、該環境で指定された見えに相当する色の３刺激値Ｘ、Ｙ、Ｚが算出された。この値は、ステップＳ１１１６で、出力機器の色空間に変換されて出力される。具体的には、モニタ・プリンタの特性を記述したＩＣＣプロファイルに記述されている３×３マトリックス情報若しくは３次元ルックアップテーブルを用いて変換される。
【０２４２】
なお、色の見えモデルとしてＣＩＥＣＡＭ０２を用いた場合の逆変換は、以下のようになる。
【０２４３】
まず、ステップＳ１１１１で、第２観察条件パラメータから下記変数が算出される。
【０２４４】
【数３７】
2005300639.tif 000041
【０２４５】
また、順応視野における白色の３刺激値Ｘｗ’、Ｙｗ’、Ｚｗ’について第２の観察条件パラメータを用いて、図９のステップＳ１０８３〜Ｓ１０８６の演算を適用して、Ａｗ’が算出される。
【０２４６】
次に、色の見え値からの非線形応答算出を説明する。
【０２４７】
はじめに、色相角の入力値が表３で検索され、ｈi≦ｈ’＜ｈi+1を満たすｉが求められる。
【０２４８】
【表３】
2005300639.tif 000042
【０２４９】
上記ｉと色の見えの色相成分Ｈの入力値を用いて、次式が計算される。
【０２５０】
【数３８】
2005300639.tif 000043
【０２５１】
ここでｈ’＞３６０の場合は３６０を減じた値とする。
【０２５２】
次に、色の見えのクロマを表すＣと明度を表すＪの入力値を用いて下記変数が計算される。
【０２５３】
【数３９】
2005300639.tif 000044
【０２５４】
次に、｜ｓｉｎ（ｈr）｜≧｜ｃｏｓ（ｈr）｜であれば、次式が計算される。
【０２５５】
【数４０】
2005300639.tif 000045
【０２５６】
また、｜ｓｉｎ（ｈr）｜＜｜ｃｏｓ（ｈr）｜であれば、次式が計算される。
【０２５７】
【数４１】
2005300639.tif 000046
【０２５８】
次に、以下の計算が行われる。
【０２５９】
【数４２】
2005300639.tif 000047
【０２６０】
次に、ステップＳ１１１３における非線形応答逆変換の計算を説明する。
【０２６１】
【数４３】
2005300639.tif 000048
【０２６２】
ここで、ｓｉｇｎ（ｘ）は、ｘ＞０で１、ｘ＝０で０、ｘ＜０で−１の値をとる関数である。
【０２６３】
次に、ステップＳ１１１４における錐体応答逆変換の計算を説明する。
【０２６４】
【数４４】
2005300639.tif 000049
【０２６５】
次に、ステップＳ１１１５における色順応逆変換の計算を説明する。
【０２６６】
【数４５】
2005300639.tif 000050
【０２６７】
色の３刺激値Ｘ、Ｙ、Ｚは、ステップＳ１１１６で、画像表示手段１２の色空間（例えばｓＲＧＢ）に変換されて出力される。
【０２６８】
画像表示装置１０の表示制御の例として、入力画像データと、該入力画像データに対する画像表示装置１０の各種設定及び各種の照明条件における表示用画像データを下記表４に示す。なお、入力画像データの値（ｓＲＧＢ）はＲ、Ｇ、Ｂで表記し、低照度の照明条件にはタングステンランプを使用した。
【０２６９】
【表４】
2005300639.tif 000051
【０２７０】
上記の表示制御例においては、家具モード「切」の状態では低照度並びに高照度条件においても、表示用画像データのＲＧＢ値は入力画像データと同じであるが、家具モード「入」の状態では、低照度条件では低輝度、低彩度の画像表示を行い、高照度条件では高輝度、低彩度の画像表示を行うように表示用画像データのＲＧＢ値が調整されている。
【０２７１】
また、家具モードの画像表示制御においては、図１６に示すように、測光部１５が検知した照度（ｌｘ）と、画像表示部１２の発光輝度の最大値（ｃｄ／ｍ2）とが、比例するように制御されるのが好ましい。なお、画像表示部１２の発光輝度の最大値とは、画像表示部１２で完全白色を表示したときの発光輝度のことである。
【０２７２】
比例定数は、図４に示した表示設定画面の再現種類スイッチ１４３で選択された項目によって定まるもので、例えば図１６においては、「写真プリント（マット）」が選択された場合の制御例ＣＴ１と「絵画」が選択された場合の制御例ＣＴ２とを示している。このようにすることで、低輝度照明下（低照度環境下）では、表示画像内容の判別不能レベルまで輝度を落とすことになり、あたかも壁に貼った写真や絵画のような画像の表示を行うことで、観察者は表示装置を調度類として、何ら違和感を覚えることなく鑑賞することが可能となる。
【０２７３】
本発明の第２の実施形態について、図１１及び図１２を用いて説明する。
【０２７４】
図１１は、本発明の第２の実施形態に係る画像表示装置の制御部１１ｂの内部構成を示すブロック図である。なお、本発明の第２の実施形態に係る画像表示装置１０を構成するその他の各部は、図１及び図２に示したものと同じである。
【０２７５】
制御部１１ｂは、図３の制御部１１における表示用画像データ生成手段１１３に代えて、表示用制御データ生成手段１１４を具備する点で異なる点を除いては、図３に示した制御部１１と同じである。
【０２７６】
表示用制御データ生成手段１１４は、色の見え指標算出手段１１２で算出された色の見え指標及び画像データ入力部１７や記憶部１３から入力された画像データ等に基づき、画像表示部１２が画像を表示するための制御データ（例えば、画像表示素子１２ａ全体の輝度増減、画像表示素子１２ａの表示切り替え間隔等）を出力する。
【０２７７】
なお、本発明において表示用制御データとは、入力画像データとは異なった表現体系を有するデータであり、例えば入力画像データがｓＲＧＢ色空間におけるＲＧＢ値であれば、表示用制御データは、画像表示素子全体の輝度増減、画像表示素子の表示切り替え間隔、最大発光輝度、色温度、解像度等を表すデータである。
【０２７８】
本発明の第２の実施形態に係る画像表示装置の動作について、図１２を用いて説明する。図１２は、図１に示した制御部１１に代えて、図１１に示した制御部１１ｂを適用した画像表示装置１０における画像表示処理を表すフローチャートである。
【０２７９】
なお、図６と同様に図１２のフローチャートは、画像表示装置１０の電源は投入された状態であり、操作部１４によって図４に示した表示設定がされ、表示する静止画の入力画像データが選択された状態からのものである。
【０２８０】
ステップＳ２０１では、画像データ入力部１７により入力画像データが読み出された後、入力画像データに予め付加されたタグ情報の解析が行われる（画像データ読み出工程及びタグ情報解析工程）。
【０２８１】
ステップＳ２０２では、入力画像データの階調変換処理が行われる（階調変換工程）。なお、階調変換処理は、図７及び図８で説明したものと同じである。
【０２８２】
ステップ２０３では、家具モードが選択されているか否かが判断される。家具モードが選択されている場合（ステップＳ２０３：ＹＥＳ）、ステップＳ２０４の処理が実行され、家具モードが選択されていない場合（ステップＳ２０３：ＮＯ）、すなわち動画や文字を鑑賞するために表示する通常モードが選択されている場合はステップＳ２０９の処理が実行される。
【０２８３】
ステップＳ２０４では、入力画像データが家具モードで処理されたものであるか否かが判断される。家具モードで処理されたものであると判断された場合（ステップＳ２０４；ＹＥＳ）、ステップＳ２０９の処理が実行され、家具モードで処理されたものでないと判断された場合（ステップＳ２０４；ＮＯ）、ステップＳ２０５の処理が実行される。
【０２８４】
ステップＳ２０５では、図１の測光部１５により、画像表示装置１０の照明条件として照度と色温度の検出が行われる（照明条件検知工程）。
【０２８５】
ステップＳ２０６では、ステップＳ２０５で検出された照明条件に基づいて、図１１の観察条件パラメータ算出手段１１１により、観察条件パラメータの算出が行われる（観察条件パラメータ算出工程）。なお、観察条件パラメータの算出処理は、図６で説明したものと同じである。
【０２８６】
ステップＳ２０７では、図１１の照明条件変化検出手段１１５により、ステップＳ２０６で算出された観察条件パラメータが、前に観察条件パラメータ算出を行った時と比べて変化しているか否かが判断される（照明条件変化検出工程）。観察条件パラメータが変化していると判断されると（ステップＳ２０７；ＹＥＳ）、ステップＳ２０８の処理が実行され、観察条件パラメータが変化していないと判断されると（ステップＳ２０７；ＮＯ）、ステップＳ２１１の処理が実行される。
【０２８７】
ステップＳ２０８では、ステップＳ２０１で読み出された入力画像データ及びステップＳ２０６で算出された観察条件パラメータとに基づき、図１１の色の見え指標算出手段１１２により、色の見え指標が算出される（色の見え指標算出工程）。なお、色の見え指標算出処理は、図９に示したものと同じである。
【０２８８】
ステップＳ２０９では、ステップＳ２０８で算出された色の見え指標に基づいて、図１１の表示用制御データ生成手段１１４により表示用制御データが作成される（表示用制御データ生成工程）。
【０２８９】
ステップＳ２１０では、ステップＳ２０９で生成された表示用制御データが、観察条件パラメータと対応付けて、図５の表示用制御データ記憶手段１３３に書き込まれる（記憶工程）。
【０２９０】
ステップＳ２１１では、入力画像データが、前に入力画像データに基づく画像表示を行った時と比べて変化しているか否かが判断される（入力画像データ比較工程）。入力画像データが変化していると判断されると（ステップＳ２１１；ＹＥＳ）、ステップＳ２０８の処理が実行され、入力画像データが変化していないと判断されると（ステップＳ２１１；ＮＯ）、ステップＳ２１２の処理が実行される。
【０２９１】
ステップＳ２１２では、図５の表示用制御データ記憶手段１３３に記憶された表示用制御データを読み出す（表示用データ読み出工程）。
【０２９２】
ステップＳ２１３では、ステップＳ２０９で生成され又はステップＳ２１２で読み出された表示用制御データ及びＳ２０２で階調変換された入力画像データが画像表示部１２に出力され、画像表示部１２で静止画が表示され、処理を終了する（表示用データ出力工程）。
【０２９３】
画像表示装置１０の表示制御の例として、入力画像データと、該入力画像データに対する画像表示装置１０の各種設定及び各種の照明条件における表示用制御データを下記表５に示す。
【０２９４】
【表５】
2005300639.tif 000052
【０２９５】
上記の表示制御例においては、高照度条件で家具モードを「入」とすると、高輝度低彩度の画像表示を行い、低照度条件で家具モードを「入」とすると、低輝度低彩度の画像表示を行うように表示用制御データが生成されている。
【０２９６】
本発明の第３の実施形態について、図１３及び図１４を用いて説明する。
【０２９７】
図１３は、本発明の第３の実施形態に係る画像表示装置の制御部１１ｃの内部構成を示すブロック図である。なお、本発明の第３の実施形態に係る画像表示装置１０を構成するその他の各部は、図１及び図２に示したものと同じである。
【０２９８】
制御部１１ｃは、図３の制御部１１における表示用画像データ生成手段１１３に加えて、表示用制御データ生成手段１１４を具備する点で異なる点を除いては、図３に示した制御部１１と同じである。また、表示用画像データ生成手段１１３及び表示用制御データ生成手段１１４の機能は図３及び図１１に示したものと同じである。
【０２９９】
本発明の第３の実施形態に係る画像表示装置の動作について、図１４を用いて説明する。図１４は、図１に示した制御部１１に代えて、図１３に示した制御部１１ｃを適用した画像表示装置１０における画像表示処理を表すフローチャートである。
【０３００】
なお、図６と同様に図１４のフローチャートは、画像表示装置１０の電源は投入された状態であり、操作部１４によって図４に示した表示設定がされ、表示する静止画の入力画像データが選択された状態からのものである。
【０３０１】
ステップＳ３０１では、画像データ入力部１７により入力画像データが読み出された後、入力画像データに予め付加されたタグ情報の解析が行われる（画像データ読み出工程及びタグ情報解析工程）。
【０３０２】
ステップＳ３０２では、入力画像データの階調変換処理が行われる（階調変換工程）。なお、階調変換処理は、図７及び図８で説明したものと同じである。
【０３０３】
ステップ３０３では、家具モードが選択されているか否かが判断される。家具モードが選択されている場合（ステップＳ３０３：ＹＥＳ）、ステップＳ３０４の処理が実行され、家具モードが選択されていない場合（ステップＳ３０３：ＮＯ）、すなわち動画や文字を鑑賞するために表示する通常モードが選択されている場合はステップＳ３１３の処理が実行される。
【０３０４】
ステップＳ３０４では、入力画像データが家具モードで処理されたものであるか否かが判断される。家具モードで処理されたものであると判断された場合（ステップＳ３０４；ＹＥＳ）、ステップＳ３１０の処理が実行され、家具モードで処理されたものでないと判断された場合（ステップＳ３０４；ＮＯ）、ステップＳ３０５の処理が実行される。
【０３０５】
ステップＳ３０５では、図１の測光部１５により、画像表示装置１０の照明条件として照度と色温度の検出が行われる（照明条件検知工程）。
【０３０６】
ステップＳ３０６では、ステップＳ３０５で検出された照明条件に基づいて、図１３の観察条件パラメータ算出手段１１１により、観察条件パラメータの算出が行われる（観察条件パラメータ算出工程）。なお、観察条件パラメータの算出処理は、図６で説明したものと同じである。
【０３０７】
ステップＳ３０７では、図１３の照明条件変化検出手段１１５により、ステップＳ３０６で算出された観察条件パラメータが、前に観察条件パラメータ算出を行った時と比べて変化しているか否かが判断される（照明条件変化検出工程）。観察条件パラメータが変化していると判断されると（ステップＳ３０７；ＹＥＳ）、ステップＳ３０８の処理が実行され、観察条件パラメータが変化していないと判断されると（ステップＳ３０７；ＮＯ）、ステップＳ３１１の処理が実行される。
【０３０８】
ステップＳ３０８では、ステップＳ３０１で読み出された入力画像データ及びステップＳ３０６で算出された観察条件パラメータとに基づき、図１３の色の見え指標算出手段３１２により、色の見え指標が算出される（色の見え指標算出工程）。なお、色の見え指標算出処理は、図９に示したものと同じである。
【０３０９】
ステップＳ３０９では、ステップＳ３０８で算出された色の見え指標に基づいて、図１３の表示用画像データ生成手段１１３及び表示用制御データ生成手段１１４により表示用画像データ及び表示用制御データが作成される（表示用データ生成工程）。
【０３１０】
ステップＳ３１０では、ステップＳ３０９で生成された表示用画像データ及び表示用制御データが、それぞれ観察条件パラメータと対応付けて、図５の表示用画像データ記憶手段１３２及び表示用制御データ記憶手段１３３に書き込まれる（記憶工程）。
【０３１１】
ステップＳ３１１では、入力画像データが、前に入力画像データに基づく画像表示を行った時と比べて変化しているか否かが判断される（入力画像データ比較工程）。入力画像データが変化していると判断されると（ステップＳ３１１；ＹＥＳ）、ステップＳ３０８の処理が実行され、入力画像データが変化していないと判断されると（ステップＳ３１１；ＮＯ）、ステップＳ３１２の処理が実行される。
【０３１２】
ステップＳ３１２では、図５の表示用画像データ記憶手段１３２及び表示用制御データ記憶手段１３３に記憶された表示用画像データ及び表示用制御データを読み出す。
【０３１３】
ステップＳ３１３では、ステップＳ３０９で生成され又はステップＳ３１２で読み出された表示用画像データ及び表示用制御データが画像表示部１２に出力され、画像表示部１２で静止画が表示され、処理を終了する（表示用データ出力工程）。
【０３１４】
画像表示装置１０の表示制御の例として、入力画像データと、該入力画像データに対する画像表示装置１０の各種設定及び各種の照明条件における表示用画像データ及び表示用制御データを下記表６に示す。
【０３１５】
【表６】
2005300639.tif 000053
【０３１６】
上記の表示制御例においては、高照度条件で家具モード「入」とすると、高輝度低彩度の画像表示を行い、低照度条件で家具モード「入」とすると、低輝度低彩度の画像表示を行うように表示用画像データ及び表示用制御データが生成されている。
【０３１７】
なお、本発明に係る画像表示装置の制御方法は、画像表示装置を制御する制御装置にも適用することができる。以下、図１５を用いて本発明に係る画像表示制御装置を説明する。図１５は、本発明に係る画像表示制御装置２０及びそれに接続された画像表示装置３０を模式的に示した概略図である。
【０３１８】
画像表示制御装置２０は、図１に示した画像表示装置１０の画像表示部１２に代えてディスプレイ接続部２１を具備し、ディスプレイ接続部２１は、接続ケーブル３１を介して画像表示装置３０と接続し、表示用画像データ及び表示用制御データを出力するものである。その他の構成は、図１に示した画像表示装置各部と同じである。
【０３１９】
また、本発明の目的は前述した実施形態の機能を実現するソフトウェアのプログラムコードを記録した記憶媒体を、システム或いは装置に供給し、そのシステム或いは装置のコンピュータ（ＣＰＵ若しくはＭＰＵ）が記憶媒体に格納されたプログラムコードを読み出し実行することによっても、達成されることは言うまでもない。
【０３２０】
この場合、記憶媒体から読み出されたプログラムコード自体が前述した実施形態の機能を実現することになり、そのプログラムコードを記憶した記憶媒体は本発明を構成することになる。
【０３２１】
プログラムコードを供給するための記憶媒体としては、例えばフロッピー（Ｒ）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０３２２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【０３２３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【０３２４】
その他、画像表示装置、画像表示制御装置及び画像表示システムを構成する各構成の細部構成及び細部動作に関しても、本発明の趣旨を逸脱することのない範囲で適宜変更可能である。
【図面の簡単な説明】
【０３２５】
【図１】本発明に係る画像表示装置の機能的構成を概念的に示すブロック図である。
【図２】本発明に係る画像表示装置の外観を模式的に示す斜視図である。
【図３】図１の制御部の内部構成を示すブロック図である。
【図４】画像表示装置の画像表示部に表示された表示設定画面の一例を示す図である。
【図５】図１の記憶部の内部構成を示すブロック図である。
【図６】本発明に係る画像表示装置における画像表示処理を表すフローチャートである。
【図７】図６における入力画像データの解析処理を表すフローチャートである。
【図８】図６における階調変換処理において使用する階調変換曲線の一例を示す模式図である。
【図９】図６における色の見え指標算出処理を示すフロー図である。
【図１０】図６における表示用画像データ生成処理を示すフロー図である。
【図１１】本発明の第２の実施形態に係る画像表示装置の制御部の内部構成を示すブロック図である。
【図１２】図１１に示した制御部を適用した画像表示装置における画像表示処理を表すフローチャートである。
【図１３】本発明の第３の実施形態に係る画像表示装置の制御部の内部構成を示すブロック図である。
【図１４】図１３に示した制御部を適用した画像表示装置における画像表示処理を表すフローチャートである。
【図１５】本発明に係る画像表示制御装置及びそれに接続された画像表示装置を模式的に示した概略図である。
【図１６】本発明に係る画像表示制御における照度と画像表示部の最大発光輝度との関係の一例を示したグラフである。
【符号の説明】
【０３２６】
１０  画像表示装置
１１  制御部
１１１  観察条件パラメータ算出手段
１１２  色の見え指標算出手段
１１３  表示用データ生成手段
１１４  表示制御データ生成手段
１１５  照明条件変化検出手段
１２  画像表示部
１２ａ  画像表示素子
１３  記憶部
１３１  観察条件パラメータ記憶手段
１３２  表示用画像データ記憶手段
１３３  表示用制御データ記憶手段
１４  操作部
１４０  表示設定画面
１５  測光部
１５ａ  光学センサ
１６  人体感知部
１６ａ  人体感知センサ
１７  画像データ入力部
１７ａ  無線アンテナ１７ａ
１７ｂ  メモリカードスロット
１９  筐体
【図１】
2005300639.tif 000054
【図２】
2005300639.tif 000055
【図３】
2005300639.tif 000056
【図４】
2005300639.tif 000057
【図５】
2005300639.tif 000058
【図６】
2005300639.tif 000059
【図７】
2005300639.tif 000060
【図８】
2005300639.tif 000061
【図９】
2005300639.tif 000062
【図１０】
2005300639.tif 000063
【図１１】
2005300639.tif 000064
【図１２】
2005300639.tif 000065
【図１３】
2005300639.tif 000066
【図１４】
2005300639.tif 000067
【図１５】
2005300639.tif 000068
【図１６】
2005300639.tif 000069